(57)【要約】【課題】本発明は、入賞口が設けられた遊技領域の上方へ向けて打ち込まれた打球が下方へ移動する間にその入賞口に入賞すると賞球が払い出される非電動役物を用いたパチンコ機、およびその非電動役物に関し、非電動役物を用いても出玉の波を大きく変化に富んだものにし遊技の盛り上がりを高めることができる。【解決手段】誘導領域ｇは、遊技球を複数の第１入賞口１１のうちのいずれかの第１入賞口１１に向けて誘導するが、遊技球によっては第１入賞口１１への誘導を行わないこともある領域であり、複数の第１入賞口１１のうちの少なくとも１つの第１入賞口１１を特定の第１入賞口１１とし、特定の第１入賞口１１へ入賞した入賞球の重みが、複数の非電動役物１６のうちの２つ以上の非電動役物１６に作用するようにしてある。【選択図】        図３
2008104527.tif 000002
【特許請求の範囲】
【請求項１】
遊技盤の遊技領域に、入賞口領域と、誘導領域と、複数の非電動役物とを設けたパチンコ機であって、該入賞口領域は、複数の第１入賞口が集合配置された領域であり、該誘導領域は、該入賞口領域直上に設けられ上方からの遊技球を誘導する領域であり、これらの非電動役物には、それぞれ第２入賞口とその第２入賞口への遊技球の入賞の難易を変動させる可動部材とが設けられており、第２入賞口への遊技球の入賞を容易にする可動部材の変動は、当該非電動役物に対応する第１入賞口に入賞した遊技球の重みが機械的に作用して行われ、また、第２入賞口への遊技球の入賞を難しくする可動部材の変動は、当該第２入賞口に入賞した遊技球の重みが機械的に作用して行われるように構成されているものにおいて、
前記誘導領域は、遊技球を前記複数の第１入賞口のうちのいずれかの第１入賞口に向けて誘導するが、遊技球によっては当該第１入賞口への誘導を行わないこともある領域であり、
前記複数の第１入賞口のうちの少なくとも１つの第１入賞口を特定の第１入賞口とし、当該特定の第１入賞口へ入賞した入賞球の重みが、前記複数の非電動役物のうちの２つ以上の非電動役物に作用するようにしてあることを特徴とする非電動役物を用いたパチンコ機。
【請求項２】
請求項１記載の非電動役物を用いたパチンコ機において、
前記複数の第１入賞口のうち前記特定の第１入賞口を除いた他の第１入賞口は、当該第１入賞口へ入賞した遊技球の重みが作用する非電動役物の数が、前記特定の第１入賞口へ入賞した遊技球の重みが作用する非電動役物の数とは異なるようにしてあることを特徴とする非電動役物を用いたパチンコ機。
【請求項３】
請求項１記載の非電動役物を用いたパチンコ機において、
前記誘導領域が、
前方に位置する遊技者から視認可能な状態で遊技球が前方あるいは後方に向かって移動する前後移動領域が設けられ、該前後移動領域を通過した遊技球を下方へ排出する第１誘導装置と、
該第１誘導体の直下に設けられ、前記第１誘導体から排出された遊技球を概ね下方へ誘導しながら遊技球の適否を選別して適するもののみをいずれかの前記第１入賞口に誘導する第２誘導装置とを有するものであることを特徴とする非電動役物を用いたパチンコ機。
【請求項４】
請求項１記載の非電動役物を用いたパチンコ機において、
前記第２誘導装置が、前記第１誘導装置から排出された遊技球の他、前記第１誘導装置を経ることなく達した遊技球をも受け入れ、受け入れた遊技球を概ね下方へ誘導しながら遊技球の適否を選別して適するもののみをいずれかの前記第１入賞口に誘導するものであることを特徴とする請求項３記載の非電動役物を用いたパチンコ機。
【請求項５】
遊技盤の遊技領域に、複数の非電動役物と、複数の第１入賞口とを設けた非電動役物を用いたパチンコ機であって、これらの非電動役物には、それぞれ第２入賞口とその第２入賞口への遊技球の入賞の難易を変動させる可動部材とが設けられており、第２入賞口への遊技球の入賞を容易にする可動部材の変動は、当該非電動役物に対応する第１入賞口に入賞した遊技球の重みが機械的に作用して行われ、また、第２入賞口への遊技球の入賞を難しくする可動部材の変動は、当該第２入賞口に入賞した遊技球の重みが機械的に作用して行われるように構成されているものにおいて、
前記第１入賞口のうちの少なくとも１つの第１入賞口を、特定の第１入賞口とし、当該特定の第１入賞口へ入賞した遊技球の重みは、前記複数の非電動役物のうちの２以上の非電動役物の各可動部材に作用するように構成してあるとともに、これらの第２入賞口への遊技球の入賞に伴って払い出される賞球数を、前記特定の第１入賞口への遊技球の入賞に伴って払い出される賞球数より大きく設定してあることを特徴とする非電動役物を用いたパチンコ機。
【請求項６】
請求項５記載の非電動役物を用いたパチンコ機において、
前記特定の第１入賞口へ入賞した遊技球の重みが作用するように構成された２以上の非電動役物につき、各非電動役物の第２入賞口への遊技球の入賞に伴って払い出される賞球数を同数に設定してあることを特徴とする非電動役物を用いたパチンコ機。
【請求項７】
請求項５記載の非電動役物を用いたパチンコ機において、
前記特定の第１入賞口へ入賞した遊技球の重みが作用するように構成された２以上の非電動役物につき、各非電動役物の第２入賞口を複数の群に分け、
各非電動役物の第２入賞口への遊技球の入賞に伴って払い出される賞球数を、各群毎に異なる個数に設定してあることを特徴とする非電動役物を用いたパチンコ機。
【請求項８】
遊技者の方を向いた面がおもて面になる遊技盤に設けられた開口を、上縁が遊技者側に倒れるように前方に開くことで開放し、上縁が該遊技盤側に起き上がるように後方へ閉じることで閉塞する扉と、
前記遊技盤の裏面側に設けられ、前記扉を閉めるための機械的な操作を、前記開口から入り込んだ遊技球の重みが作用することで行う閉操作機構と、
前記扉を開くための機械的な操作を、前記遊技盤の裏面側を通ってきた遊技球の重みが作用することで行う開操作機構とを備えたことを特徴とする非電動役物。
【請求項９】
請求項８記載の非電動役物において、
前記扉は、上縁と下縁の間で左右方向に突出した回動軸と、前記開口から入り込んだ遊技球によって下方へ押される、該回動軸よりも下縁側の球作用部とを有し、開いた状態のときに該球作用部が押されて該球作用部が下方へ回動することで閉じた状態になるものであり、
前記閉操作機構が、開いた状態の扉の球作用部に対して接離自在な係合部材を備え、
前記係合部材が、前記扉の球作用部に係合自在な係合部と、前記開口から入り込んだ遊技球によって前記扉の球作用部から離れる方向へ押される球押され部とを有するものであり、
前記係合部が、前記扉が開いた状態では該扉の球作用部に係合して該球作用部の下方への回動を阻止し、前記開口から入り込んだ遊技球によって前記球押され部が押されることで該球作用部から離れ該球作用部が下方へ回動することを許容するものであることを特徴とする非電動役物。
【請求項１０】
請求項８記載の非電動役物において、
前記扉は、上縁と下縁の間で左右方向に突出した回動軸と、該回動軸よりも下縁側に設けられ閉じた状態では後方へ突出した突出部とを有し、自重で閉じた状態から開いた状態になり、閉じた状態から開いた状態になるときには該突出部が上方へ回動するものであり、
前記開操作機構が、前記遊技盤の裏面側を通ってきた遊技球を受け入れる受入口と、閉じた状態の前記扉の突出部に対して接離自在に設けられたストッパと、該突出部に接しているストッパを該受入口に受け入れられた遊技球に押されて該突出部から離すストッパ解除部材とを備え、
前記ストッパが、前記突出部に接した状態では該突出部の上方への回動を阻止するものであり、該突出部から離れた状態では該突出部の上方への回動を許容するものであることを特徴とする非電動役物。
【請求項１１】
遊技盤に設けられた開口を、遊技者側に開くことで開放し該遊技盤側に閉じることで閉塞する扉と、
前記扉を開くための機械的な操作を行う開操作機構とを備え、
前記開操作機構が、閉じた状態の扉が開き始めると該扉に係合し、該扉が閉じた状態に戻ることを禁止する閉鎖防止部を備えたものであることを特徴とする非電動役物。
【請求項１２】
請求項１１記載の非電動役物において、
前記閉鎖防止部は、前記扉に係合した状態から該扉がさらに開くことで該扉への係合を解くものであることを特徴とする非電動役物。
【請求項１３】
遊技者の方を向いた面がおもて面になる遊技盤の上方へ向けて発射された打球が該遊技盤に設けられた入賞口に下方へ移動する間に入賞すると賞球が払い出される、機械的に駆動する複数の非電動役物を用いたパチンコ機において、
第１入賞口と、
前記第１入賞口に入賞した入賞球の重みが作用する作用部と、
前記遊技盤の裏面に沿って左右方向に延在し、前記作用部が固定された回転軸と、
前記回転軸に固定された操作部とを備え、
前記複数の非電動役物それぞれが、開くことで第２入賞口を開放し閉じることで該第２入賞口を閉塞する扉を備え、前記第１入賞口に打球が入賞すると該扉が機械的に開き該第２入賞口に打球が入賞すると該扉が機械的に閉じるものであり、
前記回転軸は、前記第１入賞口に入賞した入賞球の重みが前記作用部に作用することで回転するものであって、
前記操作部が、前記非電動役物の扉を開くための機械的な操作を前記回転軸が回転することで行うものであることを特徴とする非電動役物を用いたパチンコ機。
【請求項１４】
請求項１３記載の非電動役物を用いたパチンコ機において、
前記非電動役物が、前記回転軸の延在方向に間隔を空けて並んで設けられたものであり、
前記操作部が、前記回転軸の延在方向に間隔を空けて並んで設けられた非電動役物それぞれの扉を開くための機械的な操作を行うものであることを特徴とする非電動役物を用いたパチンコ機。
【請求項１５】
請求項１３記載の非電動役物を用いたパチンコ機において
前記第１入賞口に入賞した入賞球を前記遊技盤裏面側で前記作用部まで案内する、該入賞球の作用を受ける部材が存在しない球通路を備えたことを特徴とする非電動役物を用いたパチンコ機。
【請求項１６】
請求項１３記載の非電動役物を用いたパチンコ機において、
前記非電動役物よりも上方に設けられた第２非電動役物を備え、
前記第２非電動役物が、第３入賞口とその第３入賞口への打球の入賞の難易を機械的な操作を受けて変動させる扉とが設けられており、該扉に対するその第３入賞口への入賞球の入賞を容易にする機械的な操作を、前記第１入賞口に入賞した入賞球の重みが作用することで行い、作用を受けた入賞球を下方へ排出するものであり、
前記作用部は、前記第２非電動役物から排出された入賞球の重みが作用するものであることを特徴とする非電動役物を用いたパチンコ機。
【請求項１７】
請求項１３記載の非電動役物を用いたパチンコ機において、
前記非電動役物が、前記回転軸の延在方向に間隔を空けて並んで設けられ、それぞれが、閉じた状態の前記扉に当接する回動自在な当接部と、該扉に当接している当接部を該扉から離れるまで操作を受けることで回動させる被操作部とを有するものであり、
前記操作部が、前記回転軸の延在方向に間隔を空けて並んで設けられた非電動役物それぞれの被操作部を該回転軸が回転することで一つずつ順次操作するものであり、
前記扉は、前記当接部が当接していることで開くことが禁止され、該当接部が離れると自重で開くものであることを特徴とする非電動役物を用いたパチンコ機。
【請求項１８】
請求項１３記載の非電動役物を用いたパチンコ機において、
前記作用部が、前記遊技盤とは反対側に向かって突出し、前記第１入賞口に入賞した入賞球の重みが作用する作用杆を有するものであることを特徴とする非電動役物を用いたパチンコ機。
【請求項１９】
請求項１３記載の非電動役物を用いたパチンコ機において、
前記非電動役物が、閉じた状態の前記扉に当接する回動自在な当接部と、該扉に当接している当接部を該扉から離れるまで操作を受けることで回動させる被操作部とを有するものであり、
前記操作部が、前記回転軸が回転することで前記非電動役物の被操作部を操作するものであって、
前記扉は、前記当接部が当接していることで開くことが禁止され、該当接部が離れると自重で開くものであることを特徴とする非電動役物を用いたパチンコ機。
【請求項２０】
請求項１９記載の非電動役物を用いたパチンコ機において、
指をかけて操作することで前記回転軸を回転させる、前記遊技盤とは反対側に向かって突出した指かかり部を備えたものであることを特徴とする非電動役物を用いたパチンコ機。
【発明の詳細な説明】
【技術分野】
【０００１】
本発明は、可動部材を開閉するための機械的な操作を打球の重みが作用することで行う非電動役物を用いたパチンコ機、およびその非電動役物に関する。
【背景技術】
【０００２】
パチンコ機における遊技は、遊技者の手元に払い出された賞球の数（いわゆる出玉の数）の変化で成立する遊技である。
【０００３】
パチンコ機に用いられる役物には、開くことで入賞口への打球の入賞を容易にし閉じることでその入賞口への打球の入賞を難しくする可動部材が電気的に開閉する電動役物（例えば、特許文献１、２等参照）と、その可動部材が機械的に開閉する非電動役物とがある。電動役物では、可動部材の開閉をソレノイド等の電気的駆動手段によって行う。非電動役物では、可動部材を開閉するための機械的な操作を打球の重みが作用することで行う。
【特許文献１】特開昭６２−３１９５４号公報（第４頁第８欄第１５行）
【特許文献２】特開２００１−１１２９９１号公報（段落００１４）
【発明の開示】
【発明が解決しようとする課題】
【０００４】
可動部材が電気的に開閉駆動する電動役物では、可動部材の開閉回数を多数回に予め設定しておくことが技術的に自由に行えるが、可動部材が機械的に開閉駆動する非電動役物では、機構的な限界があって可動部材の開閉回数を多数回に予め設定しておくことが難しい。このことに起因して、電動役物を用いたパチンコ機と非電動役物を用いたパチンコ機との間において遊技性の面で違いが生じ、非電動役物を用いたパチンコ機では、電動役物を用いたパチンコに比べ、どうしても出玉の波が単調で小さくなりやすく、遊技の盛り上がりに欠ける傾向にある。
【０００５】
本発明は、上記事情に鑑み、非電動役物を用いても出玉の波を大きく変化に富んだものにし遊技の盛り上がりを高めることができる非電動役物を用いたパチンコ機、およびその非電動役物を提供することを目的とする。
【課題を解決するための手段】
【０００６】
上記目的を達成するための非電動役物を用いた本発明の第１のパチンコ機は、遊技盤の遊技領域に、入賞口領域と、誘導領域と、複数の非電動役物とを設けたパチンコ機であって、該入賞口領域は、複数の第１入賞口が集合配置された領域であり、該誘導領域は、該入賞口領域直上に設けられ上方からの遊技球を誘導する領域であり、これらの非電動役物には、それぞれ第２入賞口とその第２入賞口への遊技球の入賞の難易を変動させる可動部材とが設けられており、第２入賞口への遊技球の入賞を容易にする可動部材の変動は、当該非電動役物に対応する第１入賞口に入賞した遊技球の重みが機械的に作用して行われ、また、第２入賞口への遊技球の入賞を難しくする可動部材の変動は、当該第２入賞口に入賞した遊技球の重みが機械的に作用して行われるように構成されているものにおいて、
前記誘導領域は、遊技球を前記複数の第１入賞口のうちのいずれかの第１入賞口に向けて誘導するが、遊技球によっては当該第１入賞口への誘導を行わないこともある領域であり、
前記複数の第１入賞口のうちの少なくとも１つの第１入賞口を特定の第１入賞口とし、当該特定の第１入賞口へ入賞した遊技球の重みが、前記複数の非電動役物のうちの２つ以上の非電動役物に作用するようにしてあることを特徴とする。
【０００７】
非電動役物を用いた本発明の第１のパチンコ機によれば、上記誘導領域に遊技球が入り込めば、その遊技球が入賞口領域に到達する可能性が高くなり、賞球の払い出しが期待できる一方、もしかすると一つの賞球も手に入れることができない場合もあり、遊技球がこの誘導領域に入り込むことで出玉の波が大きく変化に富んだものになる。また、遊技球が上記特定の第１入賞口に入賞すると、少なくとも２つの非電動役物が上記第２入賞口への遊技球の入賞を容易にする状態になるため、その第２入賞口へ遊技球が入賞すれば、１つの非電動役物が当該状態になる場合に比べて少なくとも倍の賞球がなされ、遊技球が上記特定の第１入賞口に入賞するか否かといったことでも出玉の波が大きく変化に富んだものになる。このように、非電動役物を用いた本発明の第１のパチンコ機では、非電動役物を用いたことによる遊技性の改善を、電動役物を用いたパチンコ機において用いられる、可動部材の開閉回数を高めるといった手法とは別の手法で対処し、遊技の盛り上がりを高めることができるようにしている。
【０００８】
なお、上記非電動役物は、上記可動部材が前後方向に開閉するいわゆるアタッカータイプの役物であってもよいし、上記可動部材が左右方向に開閉するいわゆるチューリップタイプの役物であってもよいし、さらにはその他のタイプの役物であってもよい。
【０００９】
また、非電動役物を用いた本発明の第１のパチンコ機において、前記複数の第１入賞口のうち前記特定の第１入賞口を除いた他の第１入賞口は、当該第１入賞口へ入賞した遊技球の重みが作用する非電動役物の数が、前記特定の第１入賞口へ入賞した遊技球の重みが作用する非電動役物の数とは異なるようにしてあることが好ましい。
【００１０】
こうすることで、上記複数の第１入賞口の中で入賞価値が高い入賞口と低い入賞口が存在することになり、出玉の波がより大きく変化に富んだものになる。
【００１１】
ここで、非電動役物を用いた本発明の第１のパチンコ機において、前記誘導領域が、
前方に位置する遊技者から視認可能な状態で遊技球が前方あるいは後方に向かって移動する前後移動領域が設けられ、該前後移動領域を通過した遊技球を下方へ排出する第１誘導装置と、
該第１誘導体の直下に設けられ、前記第１誘導体から排出された遊技球を概ね下方へ誘導しながら遊技球の適否を選別して適するもののみをいずれかの前記第１入賞口に誘導する第２誘導装置とを有するものであってもよい。
【００１２】
遊技球は遊技領域では通常２次元的な動きしかしないが、上記前後移動領域が設けられた第１誘導装置を設けることで遊技球は３次元的な動きになり、演出効果が高まる。
【００１３】
また、非電動役物を用いた本発明の第１のパチンコ機において、前記第２誘導装置が、前記第１誘導装置から排出された遊技球の他、前記第１誘導装置を経ることなく達した遊技球をも受け入れ、受け入れた遊技球を概ね下方へ誘導しながら遊技球の適否を選別して適するもののみをいずれかの前記第１入賞口に誘導するものである態様が好ましい。
【００１４】
この態様によれば、遊技球が上記第１誘導装置に入らなくても、上記誘導領域に入るチャンスが残され、ここでもまた出玉の波が大きく変化に富んだものになる。
【００１５】
上記目的を達成するための非電動役物を用いた本発明の第２のパチンコ機は、遊技盤の遊技領域に、複数の非電動役物と、複数の第１入賞口とを設けたパチンコ機であって、これらの非電動役物には、それぞれ第２入賞口とその第２入賞口への遊技球の入賞の難易を変動させる可動部材とが設けられており、第２入賞口への遊技球の入賞を容易にする可動部材の変動は、当該非電動役物に対応する第１入賞口に入賞した遊技球の重みが機械的に作用して行われ、また、第２入賞口への遊技球の入賞を難しくする可動部材の変動は、当該第２入賞口に入賞した遊技球の重みが機械的に作用して行われるように構成されているものにおいて、
前記第１入賞口のうちの少なくとも１つの第１入賞口を、特定の第１入賞口とし、当該特定の第１入賞口へ入賞した遊技球の重みは、前記複数の非電動役物のうちの２以上の非電動役物の各可動部材に作用するように構成してあるとともに、これらの第２入賞口への遊技球の入賞に伴って払い出される賞球数を、前記特定の第１入賞口への遊技球の入賞に伴って払い出される賞球数より大きく設定してあることを特徴とする。
【００１６】
非電動役物を用いた本発明の第２のパチンコ機によれば、上記特定の第１入賞口と上記第２入賞口との間で入賞価値が異なり、出玉の波が大きく変化に富んだものになる。しかも、上記特定の第１入賞口よりも上記第２入賞口の方が入賞価値が高く、その第２入賞口は非電動役物の入賞口であるため演出効果も高い。よって、上記第２入賞口に遊技球が入賞すると、演出効果が高い演出がなされるとともに賞球が多く払い出され、遊技が多いに盛り上がる。さらに、上記特定の第１入賞口に遊技球が入賞すると、少なくとも２つの非電動役物が上記第２入賞口への遊技球の入賞を容易にする状態になるため、その第２入賞口へ遊技球が入賞すれば、１つの非電動役物が当該状態になる場合に比べて少なくとも倍の賞球がなされ、遊技球が上記特定の第１入賞口に入賞するか否かといったことでも出玉の波が大きく変化に富んだものになる。したがって、非電動役物を用いた本発明の第２のパチンコ機でも、遊技の盛り上がりを高めることができる。
【００１７】
ここで、非電動役物を用いた本発明の第２のパチンコ機において、前記特定の第１入賞口へ入賞した遊技球の重みが作用するように構成された２以上の非電動役物につき、各非電動役物の第２入賞口への遊技球の入賞に伴って払い出される賞球数を同数に設定してある態様であってもよいが、
前記特定の第１入賞口へ入賞した遊技球の重みが作用するように構成された２以上の非電動役物につき、各非電動役物の第２入賞口を複数の群に分け、
各非電動役物の第２入賞口への遊技球の入賞に伴って払い出される賞球数を、各群毎に異なる個数に設定してある態様であることがより好ましい。
【００１８】
後者の態様によれば、上記２以上の非電動役物の第２入賞口の間でも入賞価値が異なり、出玉の波が大きく変化に富んだものになる。なお、ここにいう群には、２つ以上の第２入賞口が属するものの他、一つの第２入賞口しか属さないものも含まれる。
【００１９】
上記目的を達成するための本発明の第１の非電動役物は、遊技者の方を向いた面がおもて面になる遊技盤に設けられた開口を、上縁が遊技者側に倒れるように前方に開くことで開放し、上縁がその遊技盤側に起き上がるように後方へ閉じることで閉塞する扉と、
上記遊技盤の裏面側に設けられ、上記扉を閉めるための機械的な操作を、上記開口から入り込んだ遊技球の重みが作用することで行う閉操作機構と、
上記扉を開くための機械的な操作を、上記遊技盤の裏面側を通ってきた遊技球の重みが作用することで行う開操作機構とを備えたことを特徴とする。
【００２０】
本発明の第１の非電動役物は、いわゆるアタッカタイプの入賞装置に適用することができる。従来のアタッカタイプの入賞装置では、ソレノイド等を用いて電気的に上記扉を開閉しており（例えば、特開２００６−１７４８７４号公報等参照）、上記扉を開閉するための機械的な操作を打球の重みが作用することで行うものは存在しない。また、本発明の第１の非電動役物は、低コストな入賞装置であり、最近流行っている電気的不正にも強い。
【００２１】
また、本発明の第１の非電動役物において、上記扉は、上縁と下縁の間で左右方向に突出した回動軸と、上記開口から入り込んだ遊技球によって下方へ押される、その回動軸よりも下縁側の球作用部とを有し、開いた状態のときにその球作用部が押されてその球作用部が下方へ回動することで閉じた状態になるものであり、
上記閉操作機構が、開いた状態の扉の球作用部に対して接離自在な係合部材を備え、
上記係合部材が、上記扉の球作用部に係合自在な係合部と、上記開口から入り込んだ遊技球によって上記扉の球作用部から離れる方向へ押される球押され部とを有するものであり、
上記係合部が、上記扉が開いた状態ではその扉の球作用部に係合してその球作用部の下方への回動を阻止し、上記開口から入り込んだ遊技球によって上記球押され部が押されることでその球作用部から離れその球作用部が下方へ回動することを許容するものであることが好ましい。
【００２２】
こうすることで、上記扉が閉じるべきときではないのに閉じてしまう誤動作を確実に防止することができ、逆に、上記扉を閉じるべきときにはその扉が確実に閉じるようになる。
【００２３】
より具体的には、本発明の第１の非電動役物において、上記扉は、上縁と下縁の間で左右方向に突出した回動軸と、上記開口から入り込んだ遊技球によって下方へ押される、その回動軸よりも下縁側の球作用部とを有し、開いた状態のときにその球作用部が押されてその球作用部が下方へ回動することで閉じた状態になるものであり、
上記閉操作機構が、上端部を回動中心して前後方向へ回動自在な回動板を備え、
上記回動板が、上記開口から入り込んだ遊技球によって後方へ押される下端部と、その下端部に設けられ前方へ突出した係合部とを有し、その開口から入り込んだ遊技球によってその下端部が押されることで後方へ回動するものであり、
上記係合部が、上記扉の球作用部に係合自在なものであり、その扉が開いた状態ではその扉の球作用部に係合してその球作用部の下方への回動を阻止し、上記開口から入り込んだ遊技球によって上記下端部が押されることでその球作用部から離れその球作用部が下方へ回動することを許容するものであってもよい。
【００２４】
さらに、本発明の第１の非電動役物において、上記扉は、上縁と下縁の間で左右方向に突出した回動軸と、その回動軸よりも下縁側に設けられ閉じた状態では後方へ突出した突出部とを有し、自重で閉じた状態から開いた状態になり、閉じた状態から開いた状態になるときにはその突出部が上方へ回動するものであり、
上記開操作機構が、上記遊技盤の裏面側を通ってきた遊技球を受け入れる受入口と、閉じた状態の上記扉の突出部に対して接離自在に設けられたストッパと、その突出部に接しているストッパをその受入口に受け入れられた遊技球に押されてその突出部から離すストッパ解除部材とを備え、
上記ストッパが、上記突出部に接した状態ではその突出部の上方への回動を阻止するものであり、その突出部から離れた状態ではその突出部の上方への回動を許容するものである態様も好ましい。
【００２５】
この態様によれば、上記扉が開くべきときに開かない誤動作を確実に防止することができ、逆に、上記扉が開くべきではないときにはその扉が確実に閉まっているようになる。
【００２６】
上記目的を達成するための本発明の第２の非電動役物は、遊技盤に設けられた開口を、遊技者側に開くことで開放しその遊技盤側に閉じることで閉塞する扉と、
上記扉を開くための機械的な操作を行う開操作機構とを備え、
上記開操作機構が、閉じた状態の扉が開き始めるとその扉に係合し、その扉が閉じた状態に戻ることを禁止する閉鎖防止部を備えたものであることを特徴とする。
【００２７】
本発明の第２の非電動役物も、いわゆるアタッカタイプ等の入賞装置に適用することができる。従来のアタッカタイプの入賞装置が、遊技盤よりも遊技者側となる前側から遊技盤を覆う透明板を備えたパチンコ機に設けられた場合、閉じた状態の扉が少し開いたところで、透明板に当たって跳ね返ってきた遊技球がその扉にぶつかり扉が閉じてしまうことがある。こうなると入賞装置に入賞できたはずの遊技球が入賞できず、出玉の波が小さくなってしまう。本発明の第２の非電動役物によれば、上記閉鎖防止部を備えたことにより、たとえ、透明板に当たって跳ね返ってきた遊技球が上記扉にぶつかっても、その扉は閉じることはなく、本発明の第２の非電動役物に入賞できるはずの遊技球が確実に入賞して出玉の波が大きく変化に富んだものになる。
【００２８】
また、本発明の第２の非電動役物において、上記閉鎖防止部は、上記扉に係合した状態からその扉がさらに開くことでその扉への係合を解くものである態様であってもよい。
【００２９】
この態様によれば、上記閉鎖防止部による上記扉の閉鎖防止が、上記扉が開いていくと解除され、上記扉が閉まるべきときにはその扉が確実に閉まるようになる。
【００３０】
上記目的を達成するための非電動役物を用いた本発明の第３のパチンコ機は、遊技者の方を向いた面がおもて面になる遊技盤の上方へ向けて発射された打球がその遊技盤に設けられた入賞口に下方へ移動する間に入賞すると賞球が払い出される、機械的に駆動する複数の非電動役物を用いたパチンコ機において、
第１入賞口と、
上記第１入賞口に入賞した入賞球の重みが作用する作用部と、
上記遊技盤の裏面に沿って左右方向に延在し、上記作用部が固定された回転軸と、
上記回転軸に固定された操作部とを備え、
上記複数の非電動役物それぞれが、開くことで第２入賞口を開放し閉じることでその第２入賞口を閉塞する扉を備え、上記第１入賞口に打球が入賞するとその扉が機械的に開きその第２入賞口に打球が入賞するとその扉が機械的に閉じるものであり、
上記回転軸は、上記第１入賞口に入賞した入賞球の重みが上記作用部に作用することで回転するものであって、
上記操作部が、上記非電動役物の扉を開くための機械的な操作を上記回転軸が回転することで行うものであることを特徴とする。
【００３１】
第１入賞口に入賞した入賞球を利用して非電動役物の扉を開くための機械的な操作を行う場合、第１入賞口の位置と非電動役物の位置とが左右方向に大きくずれていると、第１入賞口に入賞した入賞球を遊技盤の裏面側で非電動役物まで案内する通路が複雑になるか、あるいは扉を開くための機械的な操作を行う機構が遊技盤の裏面側で左右方向に大きくなってしまうことが考えられる。遊技盤の裏面には、遊技球を案内する通路や、遊技球を検出するセンサ等が所狭しと設けられており、スペース的余裕がほとんどない。このため、複雑な通路をさらに設けることや、左右方向に大きな機構を設けることは困難であり、第１入賞口に打球が入賞したことと、その第１入賞口から左右方向に大きくずれた非電動役物の扉が開くことを連動させることができず、出玉の波が小さくなってしまう。しかしながら、非電動役物を用いた本発明の第３のパチンコ機によれば、複雑な通路は不要であり、遊技盤の裏面側で左右方向に延在するものは、１本の回転軸でありその設置スペースはわずかである。したがって、第１入賞口に打球が入賞したことと、その第１入賞口から左右方向に大きくずれた非電動役物の扉が開くことを連動させることができ、出玉の波が大きく変化に富んだものになる。
【００３２】
また、非電動役物を用いた本発明の第３のパチンコ機において、前記非電動役物が、前記回転軸の延在方向に間隔を空けて並んで設けられたものであり、
前記操作部が、前記回転軸の延在方向に間隔を空けて並んで設けられた非電動役物それぞれの扉を開くための機械的な操作を行うものである態様であることが好ましい。
【００３３】
この態様では、第１入賞口に打球が入賞したことと、複数の非電動役物それぞれの扉を開くことを連動させることができ、出玉の波がより大きく変化に富んだものになる。
【００３４】
ここで、非電動役物を用いた本発明の第３のパチンコ機において、前記第１入賞口に入賞した入賞球を前記遊技盤裏面側で前記作用部まで案内する、該入賞球の作用を受ける部材が存在しない球通路を備えたことであってもよい。
【００３５】
また、非電動役物を用いた本発明の第３のパチンコ機において、前記非電動役物よりも上方に設けられた第２非電動役物を備え、
前記第２非電動役物が、第３入賞口とその第３入賞口への打球の入賞の難易を機械的な操作を受けて変動させる可動部材とが設けられており、その可動部材に対するその第３入賞口への入賞球の入賞を容易にする機械的な操作を、前記第１入賞口に入賞した入賞球の重みが作用することで行い、作用を受けた入賞球を下方へ排出するものであり、
前記作用部は、前記第２非電動役物から排出された入賞球の重みが作用するものである態様であってもよい。
【００３６】
この態様によれば、上記第１入賞口に打球が入賞すると、まず、上記第２非電動役物が上記第３入賞口への入賞球の入賞を容易にする状態になり、次いで、上記非電動役物の扉が開く。したがって、第１入賞口に打球が入賞したことと、２種類の役物の可動する部材（上記第２非電動役物の可動部材，上記非電動役物の扉）が開くことが連動し、出玉の波がより大きく変化に富んだものになる。
【００３７】
なお、上記第２非電動役物は、上記可動部材が前後方向に開閉するいわゆるアタッカータイプの役物であってもよいし、上記可動部材が左右方向に開閉するいわゆるチューリップタイプの役物であってもよいし、さらにはその他のタイプの役物であってもよい。
【００３８】
さらに、非電動役物を用いた本発明の第３のパチンコ機において、前記非電動役物が、前記回転軸の延在方向に間隔を空けて並んで設けられ、それぞれが、閉じた状態の前記扉に当接する回動自在な当接部と、該扉に当接している当接部を該扉から離れるまで操作を受けることで回動させる被操作部とを有するものであり、
前記操作部が、前記回転軸の延在方向に間隔を空けて並んで設けられた非電動役物それぞれの被操作部を該回転軸が回転することで一つずつ順次操作するものであり、
前記扉は、前記当接部が当接していることで開くことが禁止され、該当接部が離れると自重で開くものであることが好ましい。
【００３９】
上記操作部が、上記回転軸の延在方向に間隔を空けて並んで設けられた複数の非電動役物それぞれの被操作部を同時に操作する態様では、非電動役物の数が増えれば増えるほど、上記操作部が上記被操作部を操作するための力、すなわち上記回転軸の回転力が大きくなり、遊技球一球の重みでは総ての被操作部を操作することができずに扉を開くことができない事態を招いてしまう恐れがある。これに対して、上記操作部が、それら複数の非電動役物それぞれの被操作部を一つずつ順次操作するようにすれば、力不足になることはなく、それら複数の非電動役物それぞれの扉を確実かつ円滑に開くことができる。
【００４０】
さらにまた、非電動役物を用いた本発明の第３のパチンコ機において、前記作用部が、前記遊技盤とは反対側に向かって突出し、前記第１入賞口に入賞した入賞球の重みが作用する作用杆を有するものであることも好ましい態様の一つである。
【００４１】
上述の如く、遊技盤の裏面には、遊技球を案内する通路や、遊技球を検出するセンサ等が所狭しと設けられており、遊技盤の裏面に沿った方向には、スペース的余裕がほとんどないが、遊技盤の裏面に対する垂直方向は、この遊技盤の裏面に沿った方向に比べてスペース的余裕がある。このため、上記態様では、上記作用部に、上記遊技盤とは反対側に向かって突出した作用杆を設けてスペースを確保している。
【００４２】
また、非電動役物を用いた本発明の第３のパチンコ機において、前記非電動役物が、閉じた状態の前記扉に当接する回動自在な当接部と、該扉に当接している当接部を該扉から離れるまで操作を受けることで回動させる被操作部とを有するものであり、
前記操作部が、前記回転軸が回転することで前記非電動役物の被操作部を操作するものであって、
前記扉は、前記当接部が当接していることで開くことが禁止され、該当接部が離れると自重で開くものであってもよく、さらには、
指をかけて操作することで前記回転軸を回転させる、前記遊技盤とは反対側に向かって突出した指かかり部を備えたものであることが好ましい。
【００４３】
上記操作部が上記非電動役物の被操作部を操作することができるよう、組み立ての際、上記回転軸を回転させて上記操作部の位置調整を行う必要がある場合に、上記指かかり部を設けておくことで、その位置調整を容易に行うことができる。
【発明の効果】
【００４４】
本発明によれば、非電動役物を用いても出玉の波を大きく変化に富んだものにし遊技の盛り上がりを高めることができる非電動役物を用いたパチンコ機、およびその非電動役物を提供することができる。
【発明を実施するための最良の形態】
【００４５】
以下図面を参照して本発明の実施の形態を説明する。
【００４６】
図１は、本発明の非電動役物を用いたパチンコ機の一実施形態に相当するパチンコ機の正面図である。
【００４７】
以下の説明では、図１の紙面手前側をおもて側（遊技者側）と称し、紙面奥側を裏側と称する。ここでは、図１に示すパチンコ機１の遊技者側から見える主だった構成要素について説明し、詳細は後述する。図１に示すパチンコ機１の中央部分には遊技盤１０が配置されている。この遊技盤１０は、おもて側から透明板２１で覆われており、遊技盤１０の盤面構成はここでは図示省略されている。透明板２１は矩形状のガラス枠２０の裏側に保持されている。矩形状のガラス枠２０は、図１の左側の上下に伸びた縦縁部２０ａを回動軸としてここでは図示省略した内枠に対して回動自在に取り付けられたものである。すなわち、図１に示すガラス枠２０は、内枠に対して開閉自在なものであり、この図１にはガラス枠２０が閉められた状態が示されている。遊技者が、透明板２１を介して遊技盤１０を視認することができる領域は円形の領域である。
【００４８】
ガラス枠２０のすぐ下には、矩形状の上皿ユニット４０が設けられている。この上皿ユニット４０も、ガラス枠２０と同様に内枠に対して開閉可能なものであり、この図１には上皿ユニット４０が閉められた状態が示されている。上皿ユニット４０には上皿４２が設けられており、その上皿４２の真下には下皿５０が設けられているとともに上皿４２の右斜め下には発射ハンドル６０が設けられている。上皿４２も下皿５０もパチンコ球を貯留する部位である。上皿ユニット４０には、上皿４２にパチンコ球を払出すための玉貸ボタン４３や、上皿４２に貯留されているパチンコ球を下皿５０へ移すための移動ボタン４４が設けられている。発射ハンドル６０は、回転操作自在なものであり、遊技者がこの発射ハンドル６０を回転操作することで、上皿４２に貯留されていたパチンコ球が遊技盤１０の上方に向かって打ち込まれる。下皿５０にはファール球や払戻し球が貯留され、操作レバー５１を操作すると、下皿５０に貯留されていたパチンコ球が下方へ排出される。
【００４９】
図２は、図１に示すパチンコ機の背面図である。
【００５０】
この図２では、図２の紙面手前側が裏側になり、紙面奥側がおもて側（遊技者側）になる。図２には、木枠７０に回動自在に取り付けられた内枠７１がわずかに示されている。木枠７０は、パチンコホールに取り付けられるものである。内枠７１の中央部分はくり抜かれており、そのくり抜かれた部分に、図１に示す遊技盤１０が裏側から固定配置されている。ここで、これまで説明した本実施形態のパチンコ機１の大まかな全体構成をまとめると、パチンコホールに取り付けられた木枠７０に内枠７１が、前方から見たときの左端を回動軸として回動自在に取付けられている。その内枠７１には、おもて側からガラス枠２０が、同じく前方から見たときの左端を回動軸として回動自在に取り付けられているとともに、裏側からは遊技盤１０が固定配置されている。
【００５１】
なお、パチンコ機１の背面側では、貯留タンク８３、１次レール８４、２次レール８５、払出カセット８６の順でパチンコ球が流下していく。払出カセット８６は、回転する部材によって球送りを行うものである。払出カセット８６から送り出されたパチンコ球は、裏セット８０の排出口（不図示）を経て、図１に示す上皿４２に供給される。
【００５２】
ここでは、パチンコ機１の背面側についてのこれ以上の詳しい説明は後述することにし、遊技盤１０の盤面構成について説明する。
【００５３】
図３は、図１に示すパチンコ機が有する遊技盤のおもて面を示す図である。
【００５４】
図３に示す遊技盤１０には、外レール１０１ａと内レール１０１ｂ、および遊技領域Ｐが設けられている。外レール１０１ａと内レール１０１ｂの２つのレールは、図１に示す発射ハンドル６０を回転操作することによって不図示の発射装置から発射されたパチンコ球を、遊技領域Ｐの上方まで案内するものである。
【００５５】
遊技領域Ｐには、多数の遊技釘１０３が打たれており、遊技領域Ｐに打ち込まれた打球は、これらの遊技釘１０３によって、案内されたり弾かれたりして動きが規制される。なお、遊技領域Ｐの下端中央には、アウト口１０４が設けられている。
【００５６】
また、遊技領域Ｐには、多数の入賞口が設けられている。図３に示す遊技盤１０では、これらの入賞口のうち、遊技領域Ｐの中央部分に３つ設けれらた入賞口１１を特別な入手口として扱っている。以下、これら３つの入賞口１１を始動入賞口１１と称し、これら３つの入賞口１１が設けられた領域を入賞口領域ｓと称することにする。すなわち、入賞口領域ｓは、これら３つの始動入賞口１１が横に並んで集合配置された領域であり、左側の始動入賞口１１Ｌ，中央の始動入賞口１１Ｃ，右側の始動入賞口１１Ｒというように必要に応じて区別する。これら３つの始動入賞口１１は、本発明にいう第１入賞口の一例に相当する。始動入賞口１１に打球が入賞すると、１０個の賞球が払い出される。
【００５７】
入賞口領域ｓの真上には誘導領域ｇが設けられている。この誘導領域ｇは、３つの始動入賞口１１のうちのいずれかの始動入賞口に向けて上方からの打球をほとんど誘導するが、１００％の確率で誘導するわけではなく、打球によっては始動入賞口１１への誘導を行わないこともある。誘導領域ｇは、第１誘導装置１２とその第１誘導装置１２の真下に設けられた第２誘導装置１３とを有する。図３に示す第１誘導装置１２は樹脂製の成形体である。第１誘導装置１２には前後移動領域ｍが設けられている。前後移動領域ｍは、前方に位置する遊技者から視認可能な状態で打球が前方に向かって移動する領域である。第１誘導装置１２は、前後移動領域ｍを通過した打球を下方へ排出する。ここでは、第１誘導装置１２のこれ以上の説明は省略し、第１誘導装置１２の詳細は後述する。図３に示す第２誘導装置１３は、複数の遊技釘１３１によって形成されたものである。この第２誘導装置１３は、第１誘導装置１２から排出された打球を受け入れる。さらに、第１誘導装置１２の左右斜め下それぞれには、風車１０６が設けられており、第１誘導装置１２に入り込まなかった打球が、これらの風車１０６にぶつかって弾かれ、さらに、成形体である第１誘導装置１２に当たって第２誘導装置１３に入り込むことがある（図３中の矢印参照）。すなわち、図３に示す第２誘導装置１３は、第１誘導装置１２から排出された打球の他、第１誘導装置１２を経ることなく達した打球をも受け入れる。第２誘導装置１３に受け入れられた打球は、複数の遊技釘１３１によって始動入賞口１１へ概ね案内されるものの、遊技釘１３１に弾かれて始動入賞口１１に案内されないこともある。すなわち、第２誘導装置１３は、受け入れた打球を概ね下方へ誘導しながら打球の適否を選別して適するもののみをいずれかの始動入賞口１１Ｃ，Ｌ，Ｒに誘導するものである。第２誘導装置１３を、このように複数の遊技釘１３１によって形成することで、打球が始動入賞口１１へ到達する確率を自由に微調整することができる。
【００５８】
誘導領域ｇに打球が入り込めば、その打球が入賞口領域ｓに到達する可能性が高くなり、賞球の払い出しが期待できる一方、もしかすると一つの賞球も手に入れることができない場合もあり、打球がこの誘導領域ｇに入り込むことで出玉の波が大きく変化に富んだものになる。また、第２誘導装置１３は、第１誘導装置１２を経ることなく達した打球をも受け入れるため、打球が第１誘導装置１２に入らなくても、誘導領域ｇに入るチャンスが残され、ここでもまた出玉の波が大きく変化に富んだものになる。
【００５９】
また、遊技領域Ｐには、アウト口１０４の真上にアタッカー型役物１６が設けられている。さらに、このアタッカー型役物１６の左斜め上と右斜め上それぞれの同じ高さ位置にも、同様なアタッカー型役物１６が設けられている。すなわち、図３に示す遊技領域Ｐには、３つのアタッカー型役物１６が設けられており、左側のアタッカー型役物１６Ｌ，中央のアタッカー型役物１６Ｃ，右側のアタッカー型役物１６Ｒというように必要に応じて区別する。これらのアタッカー型役物１６はいずれも、入賞口１６１と、前後方向に回動する扉１６２を有する。図３には、扉１６２が前方へ回動した状態が示されている。図３に示すアタッカー型役物１６は、本発明にいう非電動役物の一例に相当し、入賞口１６１は、本発明にいう第２入賞口の一例に相当する。また、扉１６２は、本発明にいう可動部材の一例に相当する。この扉１６２は、入賞口１６１への打球の入賞の難易を変動させるものであり、前方へ回動することで入賞口１６１を開放し、後方へ回動することで入賞口１６１を閉塞する。扉１６２が前方へ回動した状態、すなわち扉１６２が開いた状態にあるときには、入賞口１４１への打球の入賞確率が高まり、反対に扉１６２が後方へ回動した状態、すなわち扉１６２が閉じた状態にあるときには、その入賞確率は０％である。扉１６２が開くことは、始動入賞口１１Ｃ，Ｌ，Ｒに入賞したパチンコ球の重みが機械的に作用して行われ、また、扉１６２が閉まることは、入賞口１６１に入賞した打球の重みが機械的に作用して行われる。打球の重みがどのうように機械的に作用するかの説明については後述する。アタッカー型役物１６Ｃ，Ｌ，Ｒの入賞口１６１に打球が入賞すると、１０個の賞球が払い出される。
【００６０】
中央の始動入賞口１１Ｃへ入賞した入賞球の重みは、３つのアタッカー型役物１６Ｃ，Ｌ，Ｒ総てに作用する。したがって、中央の始動入賞口１１Ｃへ打球が入賞すると、まず１０個の賞球が払い出され、３つのアタッカー型役物１６Ｃ，Ｌ，Ｒ総ての扉１６２が開き、これら３つのアタッカー型役物１６Ｃ，Ｌ，Ｒそれぞれの入賞口１６１に打球が入賞すると、合計３０個の賞球が払い出されるとともに扉１６２が閉まる。中央の始動入賞口１１Ｃは、本発明にいう特定の第１入賞口の一例に相当する。
【００６１】
また、左右それぞれの始動入賞口１１Ｌ，Ｒは、始動入賞口へ入賞した入賞球の重みが作用するアタッカー型役物の数が、中央の始動入賞口１１Ｃへ入賞した入賞球の重みが作用するアタッカー型役物の数とは異なり１つである。したがって、左側の始動入賞口１１Ｌへ打球が入賞すると、まず１０個の賞球が払い出され、３つのアタッカー型役物１６のうち左側のアタッカー型役物１６Ｌの扉１６２だけが開き、そのアタッカー型役物１６Ｌの入賞口１６１に打球が入賞すると、さらにまた１０個の賞球が払い出されるとともに扉１６２が閉まる。一方、右側の始動入賞口１１Ｒへ打球が入賞すると、同じく１０個の賞球が払い出され、今度は右側のアタッカー型役物１６Ｒの扉１６２だけが開き、そのアタッカー型役物１６Ｒの入賞口１６１に打球が入賞すると、さらにまた１０個の賞球が払い出されるとともに扉１６２が閉まる。
【００６２】
したがって、本実施形態のパチンコ機１によれば、左右いずれかの始動入賞口１１Ｌ，Ｒに打球が入賞すると、１つのアタッカー型役物１６Ｌ，Ｒの扉１６２が開いて１０個の賞球が払い出されるチャンスが生まれるのに対して、中央の始動入賞口１１Ｃへ打球が入賞すれば、３つのアタッカー型役物１６Ｃ，Ｌ，Ｒ総ての扉１６２が開いて、先の３倍に相当する３０個の賞球が払い出されるチャンスが生まれるから、打球が中央の始動入賞口１１Ｃに入賞するか否かといったことでも出玉の波が大きく変化に富んだものになり、遊技の盛り上がりが高められる。３倍の賞球が払い出されるチャンスがあるということは、入賞口領域ｓの中で入賞価値が高い（３倍の）入賞口（中央の始動入賞口１１Ｃ）と、低い（１倍の）入賞口（左右の始動入賞口１１Ｌ，Ｒ）が存在することになり、出玉の波がより大きく変化に富んだものになるともいえる。
【００６３】
なお、遊技領域Ｐには、入賞口領域ｓの真下、左斜め下、および右斜め下それぞれに非電動役物の一種であるチューリップ型役物１４が設けられている。これらのチューリップ型役物１４それぞれには、入賞口１４１と、開閉する１対の可動部材１４２が設けられている。この１対の可動部材１４２は、入賞口１４１への打球の入賞の難易を変動させるものであり、１対の可動部材１４２が互いに接近した状態（図４では点線で表された閉じた状態）にあるときには、入賞口１４１への打球の入賞が難しくなり、１対の可動部材１４２が互いに離間した状態（図４では実線で表された開いた状態）にあるときには、入賞口１４１への打球の入賞が容易になる。１対の可動部材１４２の開閉は、入賞口１４１に打球が入賞するたびに機械的に行われる。すなわち、チューリップ型役物１４の可動部材１４２が開くことは、前述したアタッカー型役物１６Ｃ，Ｌ，Ｒのように、他の入賞口（始動入賞口１１Ｃ，Ｌ，Ｒ）に入賞した入賞球の重みが作用して行われるのではなく、自己（チューリップ型役物１４）の入賞口１４１に入賞した入賞球の重みが作用して行われる。図４に示すチューリップ型役物１４の入賞口１４１に打球が入賞すると、１０個の賞球が払い出される。
【００６４】
加えて、遊技領域Ｐには、誘導領域ｇの真上と左右それぞれに普通入賞口１５が設けられている。また、誘導領域ｇの左に設けられた普通入賞口１５の左横、および誘導領域ｇの右に設けられた普通入賞口１５の右横それぞれには、風車１０７が配置されている。さらに、隣り合ったチューリップ型役物１４の間、すなわち入賞口領域ｓの左斜め下と右斜め下それぞれにも普通入賞口１５が設けられている。普通入賞口１５に打球が入賞すると、１０個の賞球が払い出される。
【００６５】
なお、図３においては、戻り防止板１０２や電飾部材１０５が示されている。
【００６６】
続いて、先に触れた第１誘導装置１２について図４を用いて詳述する。
【００６７】
図４（ａ）は図３に示す第１誘導装置を拡大して示した図であり、図４（ｂ）は図４（ａ）のＡ−Ａ’断面図である。
【００６８】
図４（ａ）では、図の手前側がおもて側（前側）になり、奥側が裏側（後側）になる。図４（ａ）に示す第１誘導装置１２は上部前飾り１２０と、左右１対の下部前飾り１２１によって装飾が施されている。上部前飾り１２０の左右方向中央部分には、打球Ｂ１を受け入れる受入口１２０１が設けられている。この受入口１２０１は上方に開口したものである。図４（ａ）には、受入口１２０１に入らず、上部前飾り１２０によって弾かれた打球Ｂ２が示されている。また、第１誘導装置１２は、左右にも打球Ｂ３を受け入れる側口１２２を有する。この側口１２２は、左右１対の下部前飾り１２１それぞれの裏側に設けられたものであり、側口１２２から入った打球は、前後移動領域ｍに出てくる。前後移動領域ｍは、図４（ａ）に示すように左右方向中央から左右の端へ向けて上方へ漸次傾斜した領域である。したがって、この前後移動領域ｍでは、打球の左右方向への運動が抑制される。
【００６９】
図４（ｂ）には、遊技盤１０のおもて面１０ａが示されており、図の左側がおもて側（前側）になり、右側が裏側（後側）になる。この図４（ｂ）に示すように、第１誘導装置１２は、中央上部に設けられた受入口１２０１から裏側に回り込んで前後移動領域ｍの後方に出口１２３１が開口した球通路１２３を有する。玉通路１２３の受入口１２０１近傍には、打球の通過を検出するセンサ１２３２が設けられている。
【００７０】
また、玉通路１２３の出口１２３１は奧壁１２４に設けられている。この奧壁１２４はマット加工が施された透明板であり、その奧壁１２４の裏には７色に光る発光ダイオード（不図示）が設けられている。この発光ダイオードは、受入口１２０１に打球が入るまでは単色点灯しているが、受入口１２０１に打球が入るとセンサ１２３２からの検出結果を受けて７色に光り演出効果を高める。図４（ｂ）には、受入口１２０１に入った打球Ｂ１の経路が矢印で示されている。受入口１２０１に入った打球Ｂ１は、玉通路１２３を通って出口１２３１から前後移動領域ｍの後方に出てくる。玉通路１２３の出口１２３１は左右方向中央部分に設けられている。前後移動領域ｍは、後側から前側に向けて下方へ漸次傾斜した領域でもあり、玉通路１２３を通って前後移動領域ｍの後方に出てきた打球は、遊技者から視認可能な状態で前側に向かってほぼまっすぐ移動する。一方、図４（ａ）に示す左右の側口１２２から入り込んだ打球Ｂ３は、左右方向中央から左右の端へ向けて上方へ漸次傾斜した前後移動領域ｍが略Ｖ字状に形成されていることによって打球の左右方向への運動が抑制され、前後移動領域ｍを前側に向かって左右に揺動しながら移動する。このように、前後移動領域ｍではパチンコ球が３次元的な動きをし、演出効果が高まる。前後移動領域ｍの前端に到達した打球はその前端から落下する。したがって、本実施形態における第１誘導装置１２の排出口ｍ１は、前後移動領域ｍの前端になる。この第１誘導装置１２の排出口ｍ１の正面から見た中央位置は、中央の始動入賞口１１Ｃの真上になっている。
【００７１】
次に、図３に示すアタッカー型役物１６について詳細する。
【００７２】
図５は図３に示すアタッカー型役物の分解斜視図であり、図６は、組み立てられたアタッカー型役物を図５とは反対側から見たときの斜視図である。図５では、紙面の左手前側がおもて側（前側）になり、右奥側が裏側（後側）になる。一方、図６では図５とは反対に、紙面の左手奥側がおもて側（前側）になり、右手前側が裏側（後側）になる。
【００７３】
アタッカー型役物１６は、開操作機構と閉操作機構を有する。開操作機構は、扉１６２を開くための機械的な操作を、始動口入賞口１１に入賞して遊技盤１０の裏面側を通ってきたパチンコ球の重みが作用することで行う。一方、閉操作機構は、扉１６２を閉めるための機械的な操作を、入賞口１６１から入り込んだパチンコ球の重みが作用することで行う。
【００７４】
ここではまず、開操作機構について詳述する。開操作機構は、受入口１６ａ（図６参照）が設けられた基体１６４、球受けレバー１６８、および軸棒１６５を回動中心にして回動するストッパ１６６からなるものである。
【００７５】
図７は、図５に示すアタッカー型役物の扉が開閉する様子を示した図である。
【００７６】
上方に示す図７（ａ）と図７（ｂ）の図は、扉１６２が開いた状態を示す図であり、図７（ａ）はアタッカー型役物１６の裏面図であり、図７（ｂ）は図７（ａ）のＡ−Ａ’断面図である。一方、下方に示す図７（ｃ）と図７（ｄ）の図は、扉１６２が閉じた状態を示す図であり、図７（ｃ）はアタッカー型役物１６の裏面図であり、図７（ｄ）は図７（ｃ）のＢ−Ｂ’断面図である。アタッカー型役物１６の基体１６４と押さえ板１６７はともに透明部材であり、図７（ａ）や図７（ｃ）にも球受けレバー１６８等が示されている。また、図７（ｂ）および図７（ｄ）に示す断面図はいずれも、ストッパ１６６が設けられた側の断面図であり、左側がおもて側（前側）になり、右側が裏側（後側）になる。
【００７７】
最初に、扉１６２が閉じた状態のアタッカー型役物１６について説明する。図７（ｃ）に示すように、扉１６２が閉じた状態のアタッカー型役物１６では、球受けレバー１６８の開駆動部１６８ｂが、ストッパ１６６に設けられた第２被操作部１６６５によって下方へ押さえつけられており、球受けレバー１６８の球受け部１６８ａがやや持ち上がった姿勢である。図７（ｄ）に示すように、閉じた状態の扉１６２の第１突出部１６２４は後方へ突出しており、この第１突出部１６２４はストッパ１６６の当接部１６６２に当接している。扉１６２は、回動軸１６２３を回動中心にして前後方向に回動する（図７（ｄ）中の矢印参照）。図７（ｄ）に示す閉じた状態の扉１６２は、回動軸１６２３が上下方向中央よりもやや下寄りにあり、回動軸１６２３よりも上方側の方が反対側（下方側）よりも重い重量バランスである。しかも、閉じた状態の扉１６２は、垂直状態になるまで閉まることが、図７（ｄ）に示す飾り枠１６０の裏面に設けられた閉ストッパ１６０７によって許されず、垂直状態からわずかに前方へ回動した姿勢にある。したがって、図７（ｄ）に示す閉じた状態の扉１６２は、自重によって前方へ回動しようとしているが、第１突出部１６２４がストッパ１６６の当接部１６６２に当接していることによって、前方への回動が阻止されている。すなわち、図７（ｄ）に示す閉じた状態の扉１６２が開くと、図７（ｂ）に示すように第１突出部１６２４が上方へ移動するが、図７（ｄ）に示すように、第１突出部１６２４はストッパ１６６の当接部１６６２に当接して移動することができず、図７（ｄ）に示す扉１６２は開くことが禁止されている。
【００７８】
扉１６２が閉じた状態のアタッカー型役物１６の裏側（受入口１６ａ）へ遊技球が入球すると、扉の開放が行われる。以下、扉１６２の開放動作について詳述する。上述したように、例えば、左側の始動入賞口１１Ｌにパチンコ球が入賞すると、その左側の始動入賞口１１Ｌに入賞したパチンコ球Ｂ５（図７（ａ）参照）は、詳しくは後述するが遊技盤の裏面側を通って、左側のアタッカー型役物１６Ｌの受入口１６ａに入り込む。図７（ａ）に示す基体１６４の受入口１６ａ近傍には、２つのガイド部材１６４６が設けられている。これらのガイド部材１６４６は、球受けレバー１６８の球案内板１６８２側（図７（ａ）では右側）に向かって傾斜したものである。受入口１６ａに入り込んだパチンコ球Ｂ５は、これらのガイド部材１６４６に案内され、図７（ｃ）に示す球受けレバー１６８のやや持ち上がった球受け部１６８ａの上に落ち、ストッパ１６６の第２被操作部１６６５による押さえつけに抗してパチンコ球Ｂ５の重みによって球受け部１６８ａが押し下げられるとともに開駆動部１６８ｂが持ち上がる。図７（ａ）には、開駆動部１６８ｂが持ち上がった状態が示されている。開駆動部１６８ｂが持ち上がると、ストッパ１６６の第２被操作部１６６５も開駆動部１６８ｂに押されて持ち上がる。第２被操作部１６６５が持ち上がることでストッパ１６６は軸棒１６５を回動中心にして回動し、図７（ｂ）に示すように、扉１６２の第１突出部１６２４が当接していたストッパ１６６の当接部１６６２が上方へ退避する。こうなると、図７（ｄ）に示す閉じた状態の扉１６２は、自重によって前方へ回動する。したがって、球受けレバー１６８が、本発明の第１の非電動役物にいうストッパ解除部材の一例に相当する。本実施形態のアタッカー型役物１６によれば、開操作機構が設けられていることにより、扉１６２が開くべきときに開かない誤動作を確実に防止することができ、逆に、扉１６２が開くべきではないときには扉１６２が確実に閉まっているようになる。
【００７９】
球受けレバー１６８の球受け部１６８ａを押し下げたパチンコ球Ｂ５’は、球案内板１６８２に沿って下方へ向かう。下方へ向けて折れ曲がった球案内板１６８２の下端側は開放されており、球案内板１６８２に沿って下方へ向かうパチンコ球Ｂ５’はアタッカー型役物１６から排出される。
【００８０】
次に、閉操作機構について詳述する。この閉操作機構は、上述のごとく扉１６２を閉めるための機械的な操作を、入賞口１６１から入り込んだパチンコ球の重みが作用することで行うものであって、回動板１６３からなるものである。
【００８１】
図８は、図５に示すアタッカー型役物の扉が閉じた状態から少し開いた状態を示す断面図であり、図９は、扉が図８に示す状態からさらに開いていく様子を段階的に示した断面図である。
【００８２】
図８および図９に示す断面図は、ストッパ１６６が設けられた側とは反対側になる、回動板１６３に設けられた係合部１６３５側の断面図であり、右側がおもて側（前側）になり、左側が裏側（後側）になる。
【００８３】
ここではまず、扉１６２が開いた状態のアタッカー型役物１６について説明する。扉１６２が図９（ｂ）に示すほど開いた状態では、回動板１６３の係合部１６３５が扉１６２の突出片１６２７の下に潜り込んでいる。この状態では、扉１６２が後方へ回動しようとしても、回動板１６３の係合部１６３５が邪魔して後方へ回動することができない。すなわち、扉１６２が閉まろうとしても、回動板１６３の係合部１６３５が扉１６２の突出片１６２７に係合し、扉１６２が閉まることが阻止される。この回動板１６３は、本発明の第１の非電動役物にいう係合部材の一例に相当するものである。回動板１６３の係合部１６３５が扉１６２の突出片１６２７の下に潜り込んだ状態では、回動板１６３の下端部１６３６と扉１６２の下縁部１６２８は接している。
【００８４】
扉１６２が開いた状態のアタッカー型役物１６の表側（入賞口１６１）への遊技球の入球が行われると、扉１６２の閉止が行われる。以下、扉１６２の閉止動作について詳述する。図７（ｂ）に示すように打球Ｂ６が入賞口１６１に入賞すると、互いに接していた回動板１６３の下端部１６３６（図５および図９（ｂ）参照）と扉１６２の下縁部１６２８（図５および図９（ｂ）参照）との双方が入賞した打球Ｂ６の重さによって押され、回動板１６３の下端部１６３６が後方へ回動するとともに扉１６２の下縁部１６２８が下方へ回動する。この結果、回動板１６３は後方へ回動し（矢印ａ参照）、扉１６２も後方へ回動する（矢印ｂ参照）。したがって、扉１６２の下縁部１６２８が、本発明の第１の非電動役物にいう球作用部の一例に相当する。回動板１６３が後方へ回動することで、図９（ｂ）に示す係合部１６３５の、突出片１６２７への係合が解除される。すなわち、回動板１６３の下端部１６３６は、入賞口１６１から入り込んだ打球Ｂ６によって扉１６２の下縁部１６２８から離れる方向へ押される。この下端部１６３６が本発明の第１の非電動役物にいう球押され部の一例に相当する。
【００８５】
扉１６２は、入賞口１６１に入賞した打球Ｂ６の重さによって後方へ回動し、閉じた状態になる。
【００８６】
本実施形態のアタッカー型役物１６によれば、係合部１６３５や回動板１６３の回動機構が設けられていることにより、扉１６２が閉じるべきときではないのに閉じてしまう誤動作を確実に防止することができ、逆に、扉１６２が閉じるべきときには扉１６２が確実に閉じるようになる。
【００８７】
回動板１６３の下方は開放されており、入賞した打球Ｂ６は、図７（ｂ）に示す矢印ｃの経路を通ってアタッカー型役物１６から排出される。打球Ｂ６が通過すると、後方へ回動した回動板１６３は、重り１６３４（図７（ｄ）参照）の作用によって扉１６２側（前方）へ向かって回動するとともに、ストッパ１６６が下方へ回動することで当接部１６６２が扉１６２の第１突出部１６２４に当接し、アタッカー型役物１６は図７（ｄ）に示す扉１６２が閉じた状態になる。
【００８８】
以上説明したアタッカー型役物１６では、電気的に扉を開閉する役物で生じることがある、ノイズや断線等による誤動作が生じることはなく、出玉の波が大きく変化に富んだものになる。また、低コストな役物であり、最近流行っている電気的不正にも強い利点がある。
【００８９】
続いて、アタッカー型役物１６における扉１６２の閉塞防止について詳述する。
【００９０】
図７（ｂ）や図７（ｄ）に示す断面図とは反対側の断面図である図８に示すように、扉１６２には、突出片１６２７の他、係合溝１６２６も設けられている。図８に示す突出片１６２７は紙面手前側に突出しており、係合溝１６２６は、この突出片１６２７と扉１６２の側壁部１６２２の下縁１６２２ａによって画定された、紙面奥側に窪んだ溝である。
【００９１】
回動板１６３の下端に設けられた、扉１６２側へ向かって突出した係合部１６３５が、扉１６２が閉じた状態では図８に示す扉１６２の側壁部１６２２の下端部１６２２ｂに当接している。扉１６２が閉じた状態から少し開いた状態になると、回動板１６３に設けられた係合部１６３５は、扉１６２に設けられた係合溝１６２６に入り込む。すなわち、図８に示すように、回動板１６３の係合部１６３５は、扉１６２の側壁部１６２２の下縁１６２２ａに係合する。扉１６２は、こうして係合部１６３５が係合したことで、後方へ回動することができなくなくなり、自重で前方へ回動することしか許されない状態になる。係合部１６３５は、本発明にいう閉塞防止部の一例に相当し、図１に示す透明板２１に当たって跳ね返ってきた打球が扉１６２にぶつかっても、この係合部１６３５の作用によって扉１６２は閉じることはなく、入賞できるはずの打球が確実に入賞して出玉の波が大きく変化に富んだものになる。
【００９２】
なお、図８に示す状態から扉１６２の前方への回動が進むと、扉１６２の側壁部１６２２の下縁１６２２ａが回動板１６３の係合部１６３５から離れていき、図９（ａ）に示すように、今度は突出片１６２７が回動板１６３の係合部１６３５に接触する。すなわち、係合部１６３５は、扉１６２に係合した状態から扉１６２がさらに開くことで扉１６２への係合を解くものであり、扉１６２が閉まるべきときには扉１６２が確実に閉まるようになる。さらに、扉１６２の前方への回動が進むと、前方へ回動する扉１６２の突出片１６２７によって回動板１６３の係合部１６３５が押され、回動板１６３は回動軸１６３１を回動中心にして後方へ回動する（図９（ａ）に示す矢印参照）。回動板１６３が後方へ回動すると、回動板１６３の係合部１６３５は突出片１６２７から滑り落ち、図９（ｂ）に示すように突出片１６２７の下に潜り込む。
【００９３】
図７（ｂ）に示すように、基体１６４のスリット孔１６４９（図６参照）の下方には、前方へ向けて突出した開ストッパ１６４０が設けられている。扉１６２は、第２突出部１６２５がこの開ストッパ１６４０に当接するまで回動する。なお、第２突出部１６２５が開ストッパ１６４０に当接する前に、回動板１６３の係合部１６３５が扉１６２の突出片１６２７の下に潜り込む。扉１６２は、第２突出部１６２５が開ストッパ１６４０に当接することでそれ以上回動することができなくなり、扉１６２は完全に開ききった状態になる。完全に開ききった扉１６２の姿勢は前端１６２１ａが斜め上を向いた姿勢であり、入賞口１６１が開放されている。
【００９４】
続いて、遊技盤１０の裏面１０ｂに取り付けられる裏樋について説明する。
【００９５】
図１０は、遊技盤を後方から見た図である。
【００９６】
図１０に示す遊技盤１０の裏面１０ｂには裏樋９０が取り付けられている。この裏樋９０は、遊技盤１０に設置された各入賞口に入賞した遊技球を、遊技盤裏面１０ｂで集合させて排出口９１から機外に排出する。
【００９７】
裏樋９０には、各入賞口１１，１４１，１５，１６１に連なる通路９０１〜９０３，９０５が形成されており、各通路９０１〜９０３，９０５にはそれぞれセンサ９２が設置されている。
【００９８】
まず原則として、始動入賞口１１以外の入賞口１４１，１５，１６１から入賞した遊技球は、それぞれの通路９０２，９０３，９０５を経て排出口９１に直接排出するようになっている。
【００９９】
この原則に対する例外として、始動入賞口１１から入賞した遊技球は、各始動入賞口１１が対応するアタッカー型役物１６を通じて、そのアタッカー型役物１６の扉１６２を開操作させたうえで、各通路９０４を経て排出口９１に排出される。
【０１００】
さらにその例外の例外として、中央の始動入賞口１１Ｃは、対応する中央のアタッカー型役物１６Ｃの扉１６２を上記のごとく開操作した後に、そのアタッカー型役物１６Ｃから排出された遊技球が、後述の連動機構９５を作動させて、左右のアタッカー型役物１６Ｌ，１６Ｒについてもそれぞれの扉１６２を開放するようになっている。
【０１０１】
連動機構９５は、次のように構成されていて、前述のように機能する。
【０１０２】
図１１は、図１０に示す連動機構を斜め後ろ側からみた斜視図である。
【０１０３】
この図１１では、紙面の左手奥側がおもて側（前側）になり、右手前側が裏側（後側）になる。図１１に示す連動機構９５は、作用部９５１と回転軸９５２と２つの操作部９５３を備えている。作用部９５１は、取付部９５１１と作用杆９５１２を有する。作用部９５１は、回転軸９５２の延在方向中央より前方から見たときの左側（図１１では右奥側）にずれた位置に取付部９５１１によって固定されている。作用杆９５１２は後方へ向けて延在したものである。すなわち、作用杆９５１２は図１０に示す遊技盤１０とは反対側に向かって突出したものである。この作用杆９５１２には、図３に示す入賞口領域ｓの中央の始動入賞口１１Ｃに入賞した入賞球Ｂ７が落下し、作用部９５１にその入賞球Ｂ７の重みが作用する。回転軸９５２の両端それぞれには操作部９５３が固定されている。図１１では、左手前と右奧それぞに操作部９５３が示されている。２つの操作部９５３それぞれは、前方に突き出た操作杆９５３１を有する。図１１に示す回転軸９５２は、作用部９５１に入賞球Ｂ７の重みが作用することで矢印ｄ方向に回転する。
【０１０４】
図１１には、図３に示す遊技盤１０の同じ高さ位置に設けられた左右のアタッカー型役物１６Ｌ，Ｒも示されている。図１０に示す遊技盤１０の裏面１０ｂに裏樋９０を取り付けるにあたっては、２つの操作部９５３の操作杆９５３１それぞれを、左右のアタッカー型役物１６Ｌ，Ｒそれぞれの第１被操作部１６６４の下に入れ込むようにして取り付ける（１点鎖線参照）。２つの操作部９５３のうち、図１１では右奥側になる操作部９５３には指かかり部９５３２が設けられている。指かかり部９５３２は、後方へ向けて突出した部位、すなわち遊技盤１０とは反対側に向かって突出した部位である。この指かかり部９５３２に指ｈをかけて操作することで回転軸９５２は回転する。遊技盤１０の裏面１０ｂに裏樋９０を取り付ける際には、指かかり部９５３２に指ｈをかけて操作すれば、２つの操作部９５３の操作杆９５３１それぞれを、左右のアタッカー型役物１６それぞれの第１被操作部１６６４の下に簡単に入れ込むことができ、作業性が良い。操作杆９５３１が第１被操作部１６６４の下に入れ込まれた状態で、回転軸９５２が矢印ｄ方向に回転すると、操作杆９５３１は上方に向かって回動し（矢印ｅ参照）、第１被操作部１６６４を持ち上げようとする。扉１６２が閉じた状態のアタッカー型役物１６の第１被操作部１６６４が持ち上げられると、図７を用いて説明した第２被操作部１６６５が持ち上がることによって扉１６２が自重により前方へ回動する作用と同じ作用が働く。すなわち、操作杆９５３１による第１被操作部１６６４の持ち上げ操作を受けて、ストッパ１６６は軸棒１６５を回動中心にして回動し、扉１６２の第１突出部１６２４が当接していたストッパ１６６の当接部１６６２が上方へ退避する。ストッパ１６６の当接部１６６２が上方へ退避すると、扉１６２は自重により前方へ回動し、扉１６２が開く。したがって、第１被操作部１６６４が本発明にいう被操作部の一例に相当する。図１１に示す連動機構９５は、左右に間隔を空けて並んで設けられた２つのアタッカー型役物１６Ｌ，Ｒそれぞれの第１被操作部１６６４を持ち上げ、これら２つのアタッカー型役物１６Ｌ，Ｒの扉１６２それぞれが開く。
【０１０５】
図１２は、図１０に示す裏樋を斜め前から見た斜視図である。
【０１０６】
図１２には、図３に示す入賞口領域ｓに集合配置された３つの始動入賞口１１Ｃ，Ｌ，Ｒが示されている。また、図１２には、前方に突き出た操作杆９５３１の先端部分の拡大図が１点鎖線で囲まれた円の中に示されている。前方から見たときの右側（図１２では右手前側）に示された操作杆９５３１の先端部分は四角柱である。一方、前方から見たときの左側（図１２では左奧側）に示された操作杆９５３１の先端部分の形状は、四角柱の左上の隅が切り欠かれた形状であり、その先端部分には下方に落ち込んだ段部９５３１ａが設けられている。
【０１０７】
図１２に示す連動機構９５は、中央の始動入賞口１１Ｃに入賞した入賞球Ｂ８の重みが作用部９５１に作用して回転軸９５２が回転し、左右それぞれの操作部９５３の操作杆９５３１が上方に向かって回動した状態である。
【０１０８】
図１３は、図１２に示す裏樋を中央の始動入賞口付近で上下方向に切断したときの断面図である。
【０１０９】
左側に示す図１３（ａ）には、作用部９５１に入賞球の重みが作用する前の状態、すなわち、図３に示す左右のアタッカー型役物１６Ｌ，Ｒの扉１６２が閉じた状態のときの連動機構９５の様子が示されている。また、右側に示す図１３（ｂ）には、図１２に示す状態、すなわち、中央の始動入賞口１１Ｃに入賞した入賞球Ｂ８の重みが作用部９５１に作用した状態のときの連動機構９５の様子が示されている。図１３（ａ）にしても図１３（ｂ）にしても、左側がおもて側（前側）になり、右側が裏側（後側）になる。
【０１１０】
図１３に示すように、中央の始動入賞口１１Ｃにつながる第１通路９０１は、後方に拡がった通路である。裏樋９０の面方向は、遊技盤１０に取り付けられる役物の設置スペースや、上述したように様々な通路９０２〜９０５が設けられておりスペース的に余裕がないが、面方向に比べて後方向はスペース的に余裕があり、この裏樋９０ではスペースの有効活用がなされている。中央の始動入賞口１１Ｃにつながった第１通路９０１には、遊技盤１０の裏面１０ｂからまず１段後方へ突出し、図３に示す中央のチューリップ型役物１４の設置スペース避けた第１段部９０１１が設けられている。また、第１段部９０１１からさらにもう１段後方へ突出した第２段部９０１２も設けられている。さらに、第１通路９０１は、第２段部９０１２から一旦遊技盤１０の裏面１０ｂに戻り、再び１段後方へ突出し、図３に示す中央のアタッカー型役物１６Ｃの受入口１６ａにつながっている。
【０１１１】
図１３に示す第２段部９０１２の中には、連動機構９５の作用部９５１が設けられており、後方のスペースが有効活用されている。中央の始動入賞口１１Ｃにつながった第１通路９０１の第２段部９０１２までの部分は、中央の始動入賞口１１Ｃに入賞した入賞球を作用部９５１まで案内する部分であり、図１３に示すようにこの部分には、入賞球の作用を受ける部材が存在していない。したがって、この部分が本発明にいう玉通路の一例に相当する。作用部９５１に設けられた後方へ向けて延在した作用杆９５１２は、この第２段部９０１２の中で上下動する。すなわち、図１３（ａ）に示す略水平状態の作用杆９５１２に、中央の始動入賞口１１Ｃに入賞した入賞球Ｂ９が第１段部９０１１から落下すると、図１３（ｂ）に示すように作用杆９５１２はその入賞球Ｂ９の重みによって押し下げられ（矢印ｆ参照）、回転軸９５２が回転する。作用杆９５１２に落下した入賞球Ｂ９は、作用杆９５１２を押し下げた後、作用杆９５１２の下に落ち第２段部９０１２から抜け出て、図３に示す中央のアタッカー型役物１６Ｃの受入口１６ａまで案内され、今度は、その中央のアタッカー型役物１６Ｃの図７（ｃ）に示す球受けレバー１６８のやや持ち上がった球受け部１６８ａの上に落ち、その球受け部１６８ａを押し下げる。連動機構９５は、図１３（ａ）に示す作用杆９５１２が略水平状態の姿勢を維持しようとする前後方向の重量バランスである。このため、入賞球Ｂ９が作用杆９５１２の下に落ちると、連動機構９５は、図１３（ａ）に示す作用杆９５１２が略水平状態の姿勢に復帰する。
【０１１２】
図１４は、図１１に示す連動機構によって図３に示す左右のアタッカー型役物それぞれの扉が開かれる様子を示した図である。
【０１１３】
この図１４では、左側がおもて側（前側）になり、右側が裏側（後側）になる。上方に示す図１４（ａ）には、扉１６２が閉じた状態のアタッカー型役物１６Ｌ，Ｒが示されている。図１４（ａ）に示すように、連動機構９５に設けられた操作部９５３の操作杆９５３１は、アタッカー型役物１６の第１被駆動部１６６４の下方にわずかな隙間をあけて位置している。
【０１１４】
下方に示す図１４（ｂ）と図１４（ｃ）のうち、左側の図１４（ｂ）には図３に示す左側のアタッカー型役物１６Ｌの扉１６２が開く様子が示されており、右側の図１４（ｃ）には図３に示す右側のアタッカー型役物１６Ｒの扉１６２が開く様子が示されている。すなわち、上述したように、図１３（ｂ）に示す作用杆９５１２が入賞球の重みによって押し下げられると回転軸９５２が回転し、アタッカー型役物１６の第１被駆動部１６６４の下方にわずかな隙間をあけて位置していた操作杆９５３１が矢印ｇ方向に回動する。すると、操作杆９５３１が第１被駆動部１６６４を矢印ｈ方向に持ち上げ、扉１６２が開く（矢印ｉ参照）。
【０１１５】
左側の図１４（ｂ）には、段部９５３１ａが設けられた操作杆９５３１が示されており、右側の図１４（ｃ）には、四角柱の操作杆９５３１が示されている。これら図１４（ｂ）と図１４（ｃ）それぞれに示すアタッカー型役物１６の扉１６２が開く様子は同タイミングの様子であり、右側の図１４（ｃ）に示す扉１６２の方が左側の図１４（ｂ）に示す扉１６２より開いている。これは、図１４（ｂ）に示す段部９５３１ａが設けられた操作杆９５３１は、アタッカー型役物１６の第１被駆動部１６６４を持ち上げ始めるタイミングが、段部９５３１ａによって落ち込んだ分、図１４（ｃ）に示す四角柱の操作杆９５３１に比べて遅れるためである。なお、ここでは一方の操作杆９５３１に下方に落ち込んだ段部９５３１ａを設けておくことで第１被駆動部１６６４を持ち上げ始めるタイミングを遅らせているが、これとは反対に上方に盛り上がった段部を設けておくことで第１被駆動部１６６４を持ち上げ始めるタイミングを早めてもよいし、あるいは左右の操作部９５３の、回転軸９５２への取付角度（回転軸回転方向の取付角度）を変えること等によってもそのタイミングを遅らせることもできる。
【０１１６】
以上説明したように、本実施形態のパチンコ機１では、打球が中央の始動入賞口１１Ｃに入賞すると、まず、連動機構９５によって左右のアタッカー型役物１６Ｌ，Ｒそれぞれの扉１６２が開く。この際、左側のアタッカー型役物１６Ｌは右側のアタッカー型役物１６Ｒに比べて扉１６２がわずかに遅れて開く。すなわち、操作部９５３が、回転軸９５２の延在方向に間隔を空けて並んで設けられた左右のアタッカー型役物１６Ｌ，Ｒそれぞれの第１被駆動部１６６４を一つずつ順次操作する。こうして左右のアタッカー型役物１６Ｌ，Ｒそれぞれの扉１６２が開くタイミングをわずかにずらしておくことによって、操作杆９５３１がアタッカー型役物１６の第１被駆動部１６６４を持ち上げるための力が不足してしまうといった問題が解消され、左右のアタッカー型役物１６Ｌ，Ｒそれぞれの扉１６２が確実かつ円滑に開かれる。なお、左右の扉１６２が開くタイミングのずれは遊技者が気がつくほどのずれではなく、遊技者には左右の扉１６２が同時に開いたように受け取られる。左右の扉１６２が開くと、すぐその後に中央のアタッカー型役物１６Ｃの扉１６２も開く。すなわち、打球が中央の始動入賞口１１Ｃに入賞すると、３つのアタッカー型役物１６の扉１６２総てが開く。したがって、打球が中央の始動入賞口１１Ｃに入賞したことと、３つのアタッカー型役物１６の扉１６２総てが開くことが連動し、出玉の波がより大きく変化に富んだものになる。しかも、中央の始動入賞口１１Ｃから左右方向に大きくずれた左右のアタッカー型役物１６Ｌ，Ｒの扉１６２それぞれの連動動作が省スペースで実現されている。
【０１１７】
一方、左側の始動入賞口１１Ｌに入賞しても左側のアタッカー型役物１６Ｌの扉１６２しか開かず、右側の始動入賞口１１Ｒに入賞しても右側のアタッカー型役物１６Ｒの扉１６２しか開かない。
【０１１８】
ここで、図１１に示す連動機構９５を用いた態様の変形例を説明する。以下の説明では、これまでの説明と重複する説明は省略し、これまで説明した構成要素の名称と同じ名称の構成要素には、これまで用いた符号と同じ符号を付して説明する。
【０１１９】
図１５は、図１１に示す連動機構を用いた態様の変形例を図１３と同じようにして表した断面図である。
【０１２０】
この図１５でも、図１３と同じように左側がおもて側（前側）になり、右側が裏側（後側）になる。図１５には、図３に示す中央のチューリップ型役物１４が示されている。このチューリップ型役物１４は、図３に示すアタッカー型役物１６よりも上方に設けられたものであり、本発明にいう第２非電動役物の一例に相当する。また、そのチューリップ型役物１４の入賞口１４１は本発明にいう第３入賞口の一例に相当する。図１５に示すチューリップ型役物１４は、１対の可動部材１４２を駆動する球受けレバー１４３を備えている。図１５に示す球受けレバー１４３は、１対の可動部材１４２が閉じた状態にあるときにパチンコ球の重みによって押し下げられると、１対の可動部材１４２が開いた状態になるようにその１対の可動部材１４２を駆動する。この球受けレバー１４３は、チューリップ型役物１４の入賞口１４１に入賞したパチンコ球によって押し下げられる。また、図１５に示す第１通路９０１には、図１３に示す第１段部９０１１の代わりに、遊技盤１０の裏面１０ｂから後方へ突出せずにその裏面に１０ｂに沿って延びるストレート部９０１３が設けられている。このストレート部９０１３は、チューリップ型役物１４の設置スペースに入り込んでおり、図１５に示すように、球受けレバー１４３は、ストレート部９０１３の中に突出している。このため、図１５に示す球受けレバー１４３は、中央の始動入賞口１１Ｃに入賞したパチンコ球Ｂ１０によっても押し下げられる。チューリップ型役物１４は、球受けレバー１４３を押し下げたパチンコ球Ｂ１０を下方へ排出する。チューリップ型役物１４から排出されたパチンコ球Ｂ１０は、第２段部９０１２に入り込み、今度は、連動機構９５に設けられた作用部９５１の作用杆９５１２を押し下げる（図中の矢印ｊ参照）。すなわち、図１５に示す作用部９５１は、チューリップ型役物１４から排出されたパチンコ球Ｂ１０の重みが作用するものである。したがって、この変形例では、パチンコ球Ｂ１０が中央の始動入賞口１１Ｃに入賞すると、まず、チューリップ型役物１４の１対の可動部材１４２が開く。次いで、連動機構９５によって左右のアタッカー型役物１６Ｌ，Ｒそれぞれの扉１６２が開き、すぐその後に中央のアタッカー型役物１６Ｃの扉１６２が開く。
【０１２１】
したがって、この変形例によれば、打球が中央の始動入賞口１１Ｃに入賞したことと、２種類の役物の可動する部材（チューリップ型役物１４の１対の可動部材１４２，アタッカー型役物１６の扉１６２）が開くことが連動し、出玉の波がより大きく変化に富んだものになる。
【０１２２】
次に、図１に示すパチンコ機１における賞球の払出制御について説明する。
【０１２３】
まず、図２に示す払出カセット８６について詳述する。図２に示す払出カセット８６は、クリアケース８６１によって裏側から覆われている。
【０１２４】
図１６は、図２に示す払出カセットの構造を示した斜視図である。
【０１２５】
左側に示す図１６（ａ）は、図２に示すクリアケース８６１を取り外した状態の払出カセット８６を示す斜視図である。払出カセット８６は、受入口８６２と、払出中継端子板８６３と、ステッピングモータ８６４を有する。受入口８６２には、上方から２列になってパチンコ球が供給され、受入口８６２は、パチンコ球を列ごとに受入れる。払出中継端子板８６３は、払出カセット８６の筐体８６０に取り付けられている。
【０１２６】
右側に示す図１６（ｂ）は、図１６（ａ）に示す筐体８６０の内部構造を図１６（ａ）とは反対側から見た斜視図である。
【０１２７】
この図１６（ｂ）に示すように、払出カセット８６はさらに、１本の共通回転軸８６５と、２つの回転体８６６と、２つの払出センサ８６７を有する。
【０１２８】
ステッピングモータ８６４の回転軸には、１本の共通回転軸８６５が取り付けられており、その１本の共通回転軸８６５はステッピングモータ８６４によって回転する。２つの回転体８６６は、受入口８６２ごとに設けられたものである。これら２つの回転体８６６は、周方向３カ所に保持部８６６１を有する。保持部８６６１は、回転体８６６の外周側から中心に向かって窪んだものであり、１つの保持部８６６１でパチンコ球を１球ずつ保持する。２つの回転体８６６はいずれも、保持部８６６１で保持したパチンコ球を、共通回転軸８６５を回転中心にして回転することで順次下方へ搬送する。したがって、ステッピングモータ８６４の回転を制御することで、パチンコ球の球送り数を制御することができる。図１６（ｂ）に示すように、２つの回転体８６６は、パチンコ球を交互に搬送するように、互いの保持部８６６１が回転方向にずれた状態で取り付けられている。
【０１２９】
２つの払出センサ８６７は、この払出カセット８６の排出口８６８に設けられたものである。排出口８６８は、２つの回転体８６６ごとに設けられ、回転体８６６によって搬送されたパチンコ球が通過する。本実施形態における払出カセット８６によれば、パチンコ球が排出口８６８を交互に通過する。２つの払出センサ８６７は、排出口８６８を通過するパチンコ球を検出し、検出信号を発信する。すなわち、払出センサ８６７は、回転体８６６よりもパチンコ球の球送り方向下流側に設けられたものであり、実際に球送りされたパチンコ球の数を検出するものである。
【０１３０】
なお、上述の如く、払出カセット８６から送り出されたパチンコ球は、裏セット８０の排出口（不図示）を経て、図１に示す上皿４２に供給される。
【０１３１】
また、本実施形態のパチンコ機１では、図２に示すように、遊技盤１０の裏側に、このパチンコ機１全体の制御を行う主制御基板ＭＢが取り付けられている。さらに、主制御基板ＭＢの下には、払出制御基板ＥＢが設けられている。
【０１３２】
図１７は、図１に示すパチンコ機における賞球の払出制御に関連するハードウェア構成を示す機能ブロック図である。
【０１３３】
本実施形態のパチンコ機１は、始動入賞口１１であっても、普通入賞口１５であっても、チューリップ型役物１４の入賞口１４１であっても、アタッカー型役物１６の入賞口１６１であっても、入賞口に入賞すれば１０個の賞球が払い出されるものである。図１７には、これらの入賞口をまとめて単に入賞口１１，１５，１４１，１６１と記している。入賞口１１，１５，１４１，１６１に打球が入賞すると、上述のごとく、図１０に示すセンサ９２から検出信号が入賞口中継基板９４を介して主制御基板ＭＢ（図２参照）へ送られる。主制御基板ＭＢは、この検出信号を受けて払出制御基板ＥＢ（図２参照）へ払出指示信号を送信する。払出制御基板ＥＢは、払出指示信号を受信すると、ステッピングモータ８６４（図１６（ａ）参照）の回転を開始させる信号を送信する。この信号は払出中継端子板８６３（図１６（ａ）参照）を介してステッピングモータ８６４に送られ、ステッピングモータ８６４が回転を開始する。
【０１３４】
ステッピングモータ８６４が回転を開始して賞球が払い出されると、図１６（ｂ）に示す２つの払出センサ８６７から検出信号が払出中継端子板８６３を介して払出制御基板ＥＢへ送られる。払出制御基板ＥＢは、検出信号に基づいて、実際に払い出された賞球数をカウントしていき、実際に払い出された賞球数が１０個になった時点で、ステッピングモータ８６４の回転を停止させる。また、払出制御基板ＥＢは、賞球の払い出しが完了したことを表す払出完了信号を主制御基板ＭＢに送る。
【０１３５】
次に、打球が入賞口に入賞した場合の賞球の取り扱いについてこれまで説明した態様とは異なる態様を、これまで説明した構成要素の名称と同じ名称の構成要素にはこれまで用いた符号と同じ符号を付して説明する。ここで説明する態様は、本発明の第２のパチンコ機の一実施形態に相当するパチンコ機における態様であり、これまで説明したハードウェア構成と同じハードウェア構成である。したがって、図３に示す中央の始動入賞口１１Ｃ（本発明にいう特定の第１入賞口に相当）へ打球が入賞すると、その入賞した入賞球の重みが、図３に示す３つのアタッカー型役物１６の各扉１６２に作用するように構成されている。
【０１３６】
上述した態様では、始動入賞口１１であっても、普通入賞口１５であっても、チューリップ型役物１４の入賞口１４１であっても、アタッカー型役物１６の入賞口１６１であっても、入賞口に入賞すれば１０個の賞球が払い出される態様であった。以下に説明する態様では、始動入賞口１１、普通入賞口１５、およびチューリップ型役物１４の入賞口１４１に打球が入賞しても１０個の賞球は払い出されず、その半分の５個の賞球しか払い出されない。一方、図３に示す３つのアタッカー型役物１６の各入賞口１６１に入賞すると１０個の賞球が払い出される。すなわち、中央の始動入賞口１１Ｃへ入賞した入賞球の重みが作用するこれら３つのアタッカー型役物１６については、上述した態様と同じく、各アタッカー型役物１６の入賞口１６１（本発明にいう第２入賞口に相当）への打球の入賞に伴って払い出される賞球数が同数に設定されている。
【０１３７】
図１８は、第２実施形態のパチンコ機において賞球の払出制御処理が実行されたときの主制御基板の動作を示すフローチャートである。
【０１３８】
始動入賞口１１、普通入賞口１５、およびチューリップ型役物１４の入賞口１４１に打球が入賞すると、図１０に示す第１通路９０１や、第２通路９０２や、第３通路９０３に設けられたセンサ９２（以下、説明の都合上‘第１センサ’と称する）から検出信号が入賞口中継基板９４を介して主制御基板ＭＢ（図２参照）へ送られる。一方、アタッカー型役物１６の入賞口１６１に打球が入賞すると、図１０に示す回動板側通路９０５に設けられたセンサ９２（以下、説明の都合上‘第２センサ’と称する）から検出信号が、同じく入賞口中継基板９４を介して主制御基板ＭＢへ送られる。
【０１３９】
図１８に示すフローチャートに示される処理ルーチンは、所定時間ごとに起動する割り込み処理ルーチンである。まず、主制御基板ＭＢは、送られてきた検出信号が第１センサから送られてきた検出信号であるか否かを判定し（ステップＳ１）、第１センサから送られてきた検出信号である場合には、５個の賞球を払い出すことを指示する払出指示信号（５個払出指示信号）を払出制御基板ＥＢへ送信する（ステップＳ２）。なお、払出制御基板ＥＢは、５個払出指示信号と、図３（ｂ）に示す２つの払出センサ８６７からの検出信号とに基づいて、賞球として５個のパチンコ球が払い出されるようにステッピングモータ８６４を回転させる。一方、第１センサから送られてきた検出信号でない場合には、ステップＳ３へ進む。ステップＳ３では、主制御基板ＭＢは、送られてきた検出信号が第２センサから送られてきた検出信号であるか否かを判定し、第２センサから送られてきた検出信号である場合には、１０個の賞球を払い出すことを指示する払出指示信号（１０個払出指示信号）を払出制御基板ＥＢへ送信し（ステップＳ４）、この処理ルーチンを終了する。なおこの場合には、払出制御基板ＥＢが賞球として１０個のパチンコ球が払い出されるようにステッピングモータ８６４を回転させる。また、主制御基板ＭＢは、第２センサから送られてきた検出信号でない場合にもこの処理ルーチンを終了する。
【０１４０】
以上説明したように、この態様では、アタッカー型役物１６の入賞口１６１（本発明にいう第２入賞口に相当）への打球の入賞に伴って払い出される賞球数を、図３に示す中央の始動入賞口１１Ｃ（本発明にいう特定の第１入賞口に相当）への打球の入賞に伴って払い出される賞球数より大きく設定してある。その結果、アタッカー型役物１６の入賞口１６１と中央の始動入賞口１１Ｃとの間で入賞価値が異なり、出玉の波が大きく変化に富んだものになる。しかも、中央の始動入賞口１１Ｃよりもアタッカー型役物１６の入賞口１６１の方が入賞価値が高く、入賞価値が高い入賞口はアタッカー型役物１６の入賞口１６１であるため演出効果も高い。したがって、アタッカー型役物１６の入賞口１６１に入賞球が入賞すると、演出効果が高い演出がなされるとともに賞球が多く払い出され、遊技が多いに盛り上がる。
【０１４１】
続いて、図１８を用いて説明した態様のさらなる変形例について説明する。この変形例では、中央の始動入賞口１１Ｃへ入賞した入賞球の重みが作用する３つのアタッカー型役物１６それぞれの入賞口１６１を、中央のアタッカー型役物１６Ｃの入賞口１６１と左右のアタッカー型役物１６Ｌ，Ｒの入賞口１６１とで２つの群に分ける。以下、１つしかないが中央のアタッカー型役物１６Ｃの入賞口１６１が属する群を第１群と称し、左右のアタッカー型役物１６Ｌ，Ｒの入賞口１６１が属する群を第２群と称する。第２群に属する入賞口１６１に打球が入賞するとこれまでと同じく１０個の賞球が払い出されるが、第１群に属する入賞口１６１に打球が入賞すると２０個もの賞球が払い出される。すなわち、アタッカー型役物１６の入賞口１６１への打球の入賞に伴って払い出される賞球数を、各群毎に異なる個数に設定してある。
【０１４２】
この変形例における賞球の払出制御では、主制御基板ＭＤは、第２センサからの検出信号を、第１群に属する入賞口１６１につながる回動板側通路９０５に設けられたセンサ９２からの検出信号（以下、第１群検出信号と称する）であるか、あるいは第２群に属する入賞口１６１につながる回動板側通路９０５に設けられたセンサ９２からの検出信号（以下、第２群検出信号と称する）であるかを判定し、第１群検出信号に基づく払出指示信号（２０個払出指示信号）と第２群検出信号に基づく払出指示信号（１０個払出指示信号）とを区別して払出制御基板ＥＢへ送信する。払出制御基板ＥＢは、２０個払出指示信号が送られくると、賞球として２０個のパチンコ球が払い出されるようにステッピングモータ８６４を回転させ、１０個払出指示信号が送られくると、賞球として１０個のパチンコ球が払い出されるようにステッピングモータ８６４を回転させる。
【０１４３】
この変形例によれば、中央の始動入賞口１１Ｃへ入賞した入賞球の重みが作用する３つのアタッカー型役物１６それそれの入賞口１６１の間でも入賞価値が異なり、出玉の波が大きく変化に富んだものになる。
【０１４４】
次いで、図４に示す第１誘導装置１２の変形例について説明する。以下の説明では、これまでの説明と重複する説明は省略し、これまで説明した構成要素の名称と同じ名称の構成要素には、これまで用いた符号と同じ符号を付して説明する。
【０１４５】
図１９は、図４に示す第１誘導装置の変形例が設けられた誘導領域を前方から見たときの図である。
【０１４６】
図１９に示す誘導領域ｇ’には、図３に示す第２誘導装置１３と同じ、複数の遊技釘１３１によって形成された第２誘導装置１３が設けられている。また、図４に示す第１誘導装置１２は樹脂製の成形体であったが、図１９に示す第１誘導装置１２’は、第２誘導装置１３と同じく複数の遊技釘１２５によって形成されたものである。この第１誘導装置１２’には、上下５段に並んだ左右方向の遊技釘の列１２５ａが設けられている。なお、上から３番目の遊技釘の列１２５ａと上から４番目の遊技釘の列１２５ａの間には１本の遊技釘が打たれている。
【０１４７】
一番上の遊技釘の列１２５ａは２本の遊技釘１２５１からなり、これら２本の遊技釘１２５１が打たれた部位には飾り１２６が施されている。図１９に示す第１誘導装置１２’では、これら２本の釘１２５１の間が、図４に示す第１誘導装置１２の受入口１２０１に相当し、上方から打球Ｂ１１を受け入れる。また、第１誘導装置１２’は、一番上の遊技釘の列１２５ａと上から２番目の遊技釘の列１２５ａの間、上から２番目の遊技釘の列１２５ａと上から３番目の遊技釘の列１２５ａの間、および上から３番目の遊技釘の列１２５ａと上から４番目の遊技釘の列１２５ａの間それぞれの両端１２５ｂからも打球を受け入れる。第１誘導装置１２’に入り込んだ打球は、第１誘導装置１２’を形成する複数の遊技釘１２５によって第２誘導装置１３へ概ね案内されるものの、遊技釘１２５に弾かれて第２誘導装置１３へ到達しないこともある。第２誘導装置１３のみならず、第１誘導装置１２’もこのように複数の遊技釘１２５によって形成することで、打球が始動入賞口１１へ到達する確率をより自由に微調整することができる。
【０１４８】
なお、図１９に示す第１誘導装置１２’には、図４（ａ）に示す前後移動領域ｍが設けられていない。
【０１４９】
最後に、これまで説明を省略してきた、図１に示すパチンコ機１の詳細について説明する。
【０１５０】
まず、図１に示すように、ガラス枠２０には、透明板２１を介して遊技盤１０を視認することができる円形の領域の上方部分を取り囲むようにして各種の電飾部材２２が設けられている。また、この領域の下方部分の両脇には確認窓２３が設けられている。さらに、上皿ユニット４０の下部には、遊戯の演出を高めるための効果音等を発するスピーカ４５が設けられている。なお、図１には、ガラス枠２０が開くことを禁止する施錠装置の鍵穴が配置された鍵穴飾り３１や、上皿４２に貯留されたパチンコ球を下皿５０へ抜くためのボタン４１や、上皿４２の左斜め下に設けられた灰皿ｔも示されている。
【０１５１】
図４に示す遊技盤１０の左右の下隅には、証紙を貼るスペース１００１が設けられており、右の上隅には、持ち手となる切欠孔１００２が設けられている。遊技盤１０の上記スペース１００１に貼られた証紙は、ガラス枠２０の確認窓２３から視認することができる。
【０１５２】
次に、図１に示すパチンコ機１の背面側について図２を参照して詳しく説明する。
【０１５３】
図２に示す主制御基板ＭＢは、透明な基板ボックスＭＢ１によって裏側から覆われている。また、内枠７１の裏側には、基板ボックスＭＢ１の上縁ＭＢ１ａと右縁ＭＢ１ｂに沿うように、Ｌ字を上下反対にした形状の裏セット８０が取り付けられている。この裏セット８０は、内枠７１に対して回動自在に取付られており、図２の右側に示す開閉軸８０ａを中心にして内枠７１に対して開閉する。この図２には裏セット８０が閉められた状態が示されている。裏セット８０は、開閉軸８０ａ側の上部と、開閉軸８０ａとは反対の自由端側の縁部それぞれに、クランプ８１を有する。このクランプ８１は、ねじりばねが設けられた回動軸８１１を中心にして回動操作される。図２に示す２つのクランプ８１はいずれも、閉まった状態の裏セット８０が不用意に開かないように、その裏セット８０を内枠７１に固定している。また、裏セット８０の下端には、操作されることで上下動するストッパ８２も設けられている。裏セット８０を閉めた状態でこのストッパ８２を下ろしておくと、裏セット８０が開きそうになったときにそのストッパ８２が内枠７１に干渉して裏セット８０が開いてしまうことが防止される。
【０１５４】
また、図２に示す払出制御基板ＥＢの左横には、図１に示すパチンコ機１に電力を供給するための電源基板ＰＢが設けられているとともに、この電源基板ＰＢの左奧には発射制御基板ＦＢも設けられている。発射制御基板ＦＢは、図１に示す発射ハンドル６０の回転操作に従ってパチンコ球を遊技盤１０の上方へ向けて発射する発射装置（不図示）を制御する基板である。
【０１５５】
裏セット８０の左右方向に延びた部分（上部）には、貯留タンク８３と、１次レール８４が設けられている。この貯留タンク８３は、パチンコ球を貯留する上方が開口した箱状のものである。貯留タンク８３の底壁８３１は下方へ向けて傾斜しており、最も低くなった部位にパチンコ球の排出口８３２が開口している。また、底壁８３１には、不図示の球切れスイッチが設けられている。この球切れスイッチは、貯留されているパチンコ球の重みが所定の重みより軽くなったことを検知してパチンコ球の補給を促すためのものである。
【０１５６】
１次レール８４は、図の手前側と奥側に並んだ並列構造の２本レールであり、貯留タンク８３の排出口８３２に接続され下方へ向けて傾斜している。貯留タンク８３に貯留されているパチンコ球は、この１次レール８４を通って流下する。図２においては、パチンコ球は１次レール８４の左側から右側に向かって流下する。１次レール８４の底部には、複数のスリット８４１が設けられており、異物やゴミ等がこのスリット８４１から落下する。
【０１５７】
また、１次レール８４の延在方向中間部分には、球均し部材８４２が１次レール８４の２本レールそれぞれに対応して並列配置されている。球均し部材８４２は、カム部材８４２１とストッパ８４２２を有する。カム部材８４２１は、略ハート形であって、２つの連なった円弧部分それぞれに重りＷが内蔵されている。また、略ハート形のカム部材８４２１の先細りとなる部分には、回動支点ｒが設けられており、このカム部材８４２１は、回動支点ｒよりも、１次レール８４におけるパチンコ球の流下方向下流側の領域で回動自在なものである。すなわち、パチンコ球の流下を妨げることがないよう、カム部材８４２１は図２に示す矢印Ｒ１方向に回動自在である。図２に示すカム部材８４２１は、２つの連なった円弧部分のうち一方の円弧部分が１次レール８４内に入り込んでいる。１次レール８４内を流下してくるパチンコ球は、上下に重なった状態で流下してくる。上下に重なった状態のパチンコ球は、一方の円弧部分が１次レール８４内に入り込んだ球均し部材８４２によって概ね一列に均される。ストッパ８４２２は、カム部材８４２１が、回動支点ｒよりも上記流下方向上流側の領域で回動することを阻止するものである。カム部材８４２１が回動支点ｒよりも上記流下方向上流側に回動すると、流下してくるパチンコ球にカム部材８４２１が上記流下方向上流側で乗り上げた状態になる。カム部材８４２１が、パチンコ球に上記流下方向上流側で一度乗り上げた状態になると、矢印Ｒ１方向に回動することは難しくなり、玉均し機能が発揮できないばかりかパチンコ球の流下を阻害することにもなる。このため、図２に示す球均し部材８４２にはストッパ８４２２が設けられている。
【０１５８】
さらに、１次レール８４の上記流下方向下流側には１次レール８４の２本レールにまたがった１枚の整流板８４３も設けられている。図２に示す整流板８４３は、上記流下方向上流側かつ上方を向いた先端部８４３１が浮き上がるように後端部８４３２が回動自在に軸支されたものである。例えば、上下に４つ重なった状態で流下してきたパチンコ球を球均し部材８４２が上下に２つ重なった状態までにしか均しきれなかった場合に、上下に２つ重なった状態のパチンコ球はこの整流板８４３によって１列に均される。すなわち、整流板８４３は、先端部８４３１が浮き上がることでパチンコ球の流下を妨げることなく、パチンコ球にある程度押さえつける力を作用させ、上下に重なった状態のパチンコ球を１列に均す。
【０１５９】
また、整流板８４３の上方には、球止め部材８４４が１次レール８４の２本レールそれぞれに対応して並列配置されている。この球止め部材８４４は、操作により回動自在な部材であって、堰止片８４４１と操作部８４４２を有する。堰止片８４４１は、この球止め部材８４４が回動することで１次レール８４内に入り込んだ状態と１次レール８４内から出た状態との間で状態が変化するものである。球止め部材８４４は、操作部８４４２を挟込部８０１に挟み込ませることで、堰止片８４４１が１次レール８４から出た状態が維持される。図２には、操作部８４４２が挟込部８０１に挟み込まれた様子が示されている。整流板８４３には、先端部８４３１と後端部８４３２の間に開口（不図示）が設けられている。挟込部８０１による操作部８４４２の挟み込みは、操作部８４４２を指でつまんで力を加えることで解除される。図２に示す球止め部材８４４の操作部８４４２を指でつまんで力を加え、球止め部材８４４を図２に示す矢印Ｒ２方向に回動操作することで、堰止片８４４１が、その開口を通って１次レール８４内に入り込み、１次レール８４を流下してきたパチンコ球を堰き止める。この球止め部材８４４は、後述する払出カセットのメンテナンスや交換時等、パチンコ球を１次レール８４よりも下流側に流下させたくないときに用いられる。
【０１６０】
また、裏セット８０には、１次レール８４につながった透明な２次レール８５と、その２次レール８５につながった払出カセット８６も設けられている。２次レール８５も１次レール８４と同じく、図の手前側と奥側に並んだ並列構造の２本レールである。２次レール８５は蛇行しながら下方へ延びている。２次レール８５を通過したパチンコ球は払出カセット８６に２列になって供給される。２次レール８５が蛇行していることによってパチンコ球の流下速度が低下し、払出カセット８６に供給されるパチンコ球の勢いは弱められる。
【０１６１】
パチンコ機１の背面側では、貯留タンク８３、１次レール８４、２次レール８５、払出カセット８６の順でパチンコ球が流下していくが、本実施形態における裏セット８０では球抜き通路８７も設けられている。この球抜き通路８７は、２次レール８５の入口近傍から分岐して払出カセット８６を避けた通路である。球抜き通路８７の下流端は、払出カセット８６と裏セット８０の排出口（不図示）とを結ぶ経路の途中に合流している。球抜き通路８７の、２次レール８５からの分岐口には、切替部材８７１が設けられている。この切替部材８７１は、手動操作により矢印Ｒ３方向に回動することで、２次レール８５を通過するパチンコ玉の流れを遮断しパチンコ玉を分岐口へ導く玉抜姿勢と、分岐口を閉塞しパチンコ玉を２次レール８５に通す払出姿勢との間で姿勢変化するものである。図２には、払出姿勢の切替部材８７１が示されている。この切替部材８７１は、通常、払出姿勢にあり、パチンコ機１の交換時等、貯留タンク８３および１次レール８４にあるパチンコ球を一気に排出させたいときに玉抜姿勢にされる。
【０１６２】
裏セット８０の左右方向に延びた部分（上部）の開閉軸８０ａ側には、外部端子基板８８１が設けられている。すなわち、図２では、外部端子基板８８１は貯留タンク８３の右横に設けられている。この外部端子基板８８１は、パチンコ機１の外部になるパチンコホールにつながった電気コネクタ（不図示）を備えており、この電気コネクタに、払出カセット８６の払出センサ８６７からの信号線が接続される。外部端子基板８８１は、パチンコホールに、実際にどれだけのパチンコ球が払い出されたかを出力する基板である。また、貯留タンク８３と外部端子基板８８１の間には窓部８８２が設けられている。この窓部８８２のすぐ奧には図１に示す遊技盤１０が位置しており、窓部８８２は、遊技盤１０の裏面に取り付けられた電気コネクタ（不図示）を露出させるためのものである。さらに、その窓部８８２の左横には、裏側（図２の紙面に対して手前側）に向かって突出した格納部８８３も設けられている。この格納部８８３の内部は空洞である。遊技盤１０の裏面には、窓部８８２から露出した電気コネクタとは別の電気コネクタ（不図示）も取り付けられており、格納部８８３の内部に、その別の電気コネクタが収容される。またさらに、１次レール８４から何らかの拍子でパチンコ球が溢れ、その溢れたパチンコ球が入り込んでしまうことを防止するため、１次レール８４の下方には突起状のリブ８８４が設けられている。このリブ８８４は、格納部８８３と同じく裏側に向かって突出している。１次レール８４から溢れ出たパチンコ球が入り込むスペースは、このリブ８８４によって埋められている。また、裏セット８０の下端部分には中継基板８８５が設けられている。すなわち、中継基板８８５は、払出カセット８６の真下に位置する。中継基板８８５には、図１に示す玉貸ボタン４３が押下された情報が送信される信号線が接続される電気コネクタ８８５１や、いわゆるＣＲユニットとの情報のやりとりを行う信号線が接続される電気コネクタ８８５２や、払出制御基板ＥＢとの情報のやりとりを行う信号線が接続される電気コネクタ８８５３が設けられている。
【０１６３】
続いて、アタッカー型役物１６の構成部材について、図５および図６を参照して詳しく説明する。
【０１６４】
図５に示すように、アタッカー型役物１６は、飾り枠１６０、扉１６２、回動板１６３、基体１６４、軸棒１６５、ストッパ１６６、押さえ板１６７、および球受けレバー１６８を有する。なお、図６では、アタッカー型役物１６の内部構造をわかりやすくするため基体１６４と押さえ板１６７を２点鎖線で示している。
【０１６５】
飾り枠１６０の四隅にはビス孔１６０１が設けられており、この飾り枠１６０は、図４（ａ）に示す遊技盤１０のおもて面１０ａにビス止めされる。また、飾り枠１６０には入賞口１６１が設けられている。さらに、図５に示すように、飾り枠１６０の裏面側には後方へ向かって延在した１対のボス部１６０２が設けられているが、図６では、この１対のボス部１６０２を図示省略している。また、飾り枠１６０の裏面側には基体１６４に接続する接続部１６０３も設けられている。接続部１６０３の、入賞口１６１を画定する左右の壁１６０４につながった部分には、軸受部１６０５が設けられている。なお、図５には、入賞口１６１の下方に施された飾り１６０６が示されている。
【０１６６】
図５に示す扉１６２は、前面部１６２１と、その前面部１６２１の左右両端それぞれに設けられた側壁部１６２２を有する。側壁部１６２２には、左右方向に突出した回動軸１６２３が設けられている。この回動軸１６２３が軸受部１６０５に回動自在に軸支され（図６参照）、扉１６２は、前後方向へ回動することが自在（開閉自在）になる。上述のごとく、扉１６２が前方へ回動する（開く）ことで入賞口１６１が開放し、後方へ回動する（閉まる）ことで入賞口１６１が閉塞する。図５に示す扉１６２は開いた姿勢のものであり、図６には扉１６２が開いた状態のアタッカー型役物１６の内部構造が示されている。扉１６２が開いた状態では、図５に示す左右の側壁部１６２２に打球が当たって入賞口１６１に入ったり入らなかったりする。また、前面部１６２１の裏面１６２１ａを伝って入賞口１６１へと向かう打球がこぼれ落ちてしまうことがこれらの側壁部１６２２によって防止される。
【０１６７】
また、図５に示すように、前方から見たときの左側（図５では左奥側）の側壁部１６２２に比べて反対側（右手前側）の側壁部１６２２は切り欠かれ、第１突出部１６２４が形成されている。第１突出部１６２４は、開いた姿勢の扉１６２が示された図５では上方へ向けて突出している。この第１突出部１６２４は、扉１６２が閉じた状態では後方に向けて突出したものになる。さらに、図５に示す扉１６２には、手前側の側壁部１６２２から後方へ向けて突出した第２突出部１６２５が設けられている。
【０１６８】
なお、図５には、扉１６２が閉じた状態ではその扉１６２の下方の縁になる左右方向に延びた下縁部１６２８が示されている。
【０１６９】
図５に示す回動板１６３は、上縁に左右方向に延びた回動軸１６３１を有する板状のものである。図６に示すように、回動板１６３は、この回動軸１６３１を飾り枠１６０の接続部１６０３上端に回動自在に軸支することによってその接続部１６０３に取り付けられる。回動板１６３は回動軸１６３１を回動中心にして前後方向へ回動する。また、図５に示すように、回動板１６３は回動軸１６３１につながった傾斜部１６３２を有する。回動板１６３が接続部１６０３に取り付けられると、回動板１６３の姿勢は傾斜部１６３２が後方へ向かって傾斜した姿勢になる。傾斜部１６３２には、中央部分に矩形の開口１６３３が設けられている。さらに、図６に示すように、傾斜部１６３２の裏面には重り１６３４が設けられている。傾斜部１６３２が後方へ向かって傾斜した姿勢の回動板１６３は、この重り１６３４の作用によって扉１６２側（前方）へ向かって回動しようとする。また、図５に示す回動板１６３の左右方向に延びた下端部１６３６の一端には、扉１６２側（前方）へ向かって突出した係合部１６３５が設けられている。この係合部１６３５は、左右方向に関し、扉１６２の第１突出部１６２４とは反対側（前方から見たときの左側）になるように設けられている。
【０１７０】
基体１６４は、前端に開口縁１６４ａを有するとともに１対のボス受け部１６４１も有する。図５にはこの１対のボス受け部１６４１のうちの一方のボス受け部１６４１のみが示されており、図６では１対のボス受け部１６４１が図示省略されている。１対のボス受け部１６４１には、飾り枠１６０の１対のボス部１６０２それぞれが嵌め込まれる。飾り枠１６０のボス部１６０２は円筒状のものであり内周面にはネジ溝が切ってある。飾り枠１６０と基体１６４は、接続部１６０３と開口縁１６４ａを位置合わせするとともにボス部１６０２をボス受け部１６４１に嵌め込み、ボス部１６０２にネジを通してネジ止めすることで、一体になる。基体１６４の底壁１６４ｂには、複数の三角形状のリブ１６４２が設けられている。これらのリブ１６４２は、開口縁１６４ａの下端の縁に沿って横一列に設けられており、アタッカー型役物１６が組み立てられた状態では、飾り枠１６０のすぐ後ろになる下隅のスペースはこれらのリブ１６４２によって埋められる。したがって、何らかの拍子でパチンコ球がこの下隅のスペースに入り込んでしまうことが防止されている。また、基部１６４の後側の上半分には、マット加工が施された透明板１６４３が設けられている。この透明板１６４３の裏側には不図示の発光ダイオードが取り付けられる。透明板１６４３は、扉１６２が開いた状態になると遊技者から回動板１６３の開口１６３３を介して視認可能な状態になり、不図示の発光ダイオードが点灯して演出効果が高められる。さらに、基部１６４は、透明板１６４３から後方へ延在した１対のボス部１６４４を有する。これら１対のボス部１６４４は、横方向に間隔をあけて延在したものであり、これら１対のボス部１６４４の間は連結部１６４５によってつながれている。連結部１６４５には切欠き１６４５ａが設けられている。さらに、透明板１６４３の下端部分からは横方向に間隔をあけて１対のアーム１６４７（図５では一方のみがわずかに示されており図６参照）が後方へ向かって延びており、軸棒１６５は、これら１対のアーム１６４７によって支持されている。軸棒１６５は、前方から見たときの右側（図５では右手前側）の端部１６５１がアーム１６４７より突き出ている。なお、透明板１６４３の上縁と下縁の中間には小孔１６４８が穿孔されている。
【０１７１】
ストッパ１６６は鉤状のものであり、操作を受けて回動する。このストッパ１６６は、基部１６６１と、その基部１６６１の前端側で折れ曲がった当接部１６６２を有する。基部１６６１の後端には筒部１６６３が設けられており、図６に示すように、この筒部１６６３に、軸棒１６５の、アーム１６４８から突き出た端部１６５１を通し、ストッパ１６６は軸棒１６５に回動自在に取り付けられる。また、図５に示すように、基部１６６１には、前方から見たときの右側に向かって延びる第１被操作部１６６４と、反対側に向かって延びる第２被操作部１６６５が設けられている。アタッカー型役物１６が組み立てられた状態では、ストッパ１６６の、第１被操作部１６６４や第２被操作部１６６５よりも前側の部分は、基体１６４に設けられた図６に示すスリット孔１６４９を経由して基体１６４内に位置する。図５に示すストッパ１６６の当接部１６６２は、扉１６２が閉じた状態にあるときには、扉１６２に設けられた第１突出部１６２４に当接する。
【０１７２】
押さえ板１６７には、基体１６４に設けられた１対のボス部１６４４に対応して、１対のボス受け部１６７１が設けられており、ボス部１６４４をボス受け部１６７１に位置合わせし、飾り枠１６０と基体１６４を一体にするときと同様にボス部１６４４にネジを通してネジ止めすることで、押さえ板１６７と基体１６４が一体になる。また、押さえ板１６７の上縁１６７ａには、前方に突出した三角形の突片１６７２が設けられている。この突片１６７２は、基体１６４の連結部１６４５に設けられた切欠き１６４５ａに対応して設けられたものである。押さえ板１６７と基体１６４が一体になると、基体１６４の連結部１６４５に設けられた切欠き１６４５ａ、押さえ板１６７の上縁１６７ａ、およびその上縁１６７ａに設けられた突片１６７２によって受入口１６ａ（図６参照）が形成される。さらに、押さえ板１６７の下縁近傍には小孔１６７３が穿孔されている。この小孔１６７３は、押さえ板１６７と基体１６４が一体になった状態で基体１６４の透明板１６４３に穿孔された小孔１６４８と同じ高さ位置になるよう、押さえ板１６７に穿孔された孔である。
【０１７３】
球受けレバー１６８は、シーソー板１６８１と球案内板１６８２を有する。シーソー板１６８１は左右方向に延在したものであって、シーソー板１６８１の左右方向略中間には前後方向に延びた回動軸１６８３が設けられている。球案内板１６８２は、シーソー板１６８１の、前方から見たときの左側（図５では左奥側）の端から下方へ向けて折れ曲がったものである。シーソー板１６８１は、球受け部１６８ａと開駆動部１６８ｂを有する。球受け部１６８ａは、回動軸１６８３よりも球案内板１６８２が設けられた側の部位であり、開駆動部１６８ｂは、それとは反対の部位である。図６に示すように、開駆動部１６８ｂには、ストッパ１６６に設けられた第２被操作部１６６５が載置されている。押さえ板１６７と基体１６４を一体にする際には、シーソー板１６８１の中間に設けられた回動軸１６８３の前端を、基体１６４の透明板１６４３に穿孔された小孔１６４８に差し込むとともに、その後端を、押さえ板１６７に穿孔された小孔１６７３に差し込む。こうすることで、球受けレバー１６８は回動軸１６８３を中心にして回動自在になる。球受けレバー１６８は、回動軸１６８３よりも球案内板１６８２が設けられた側（球受け部１６８ａ側）の方が反対側（開駆動部１６８ｂ側）よりも重い重量バランスである。したがって、球受けレバー１６８は、その重量バランスによって開駆動部１６８ｂが持ち上がった姿勢をとろうとするが、扉１６２が閉まった状態では、開駆動部１６８ｂがストッパ１６６に設けられた第２被操作部１６６５によって下方へ押さえつけられて、球受け部１６８ａがやや持ち上がった姿勢になる。図６に示すように、アタッカー型役物１６の受入口１６ａは、落下してくるパチンコ球Ｂ４を受け入れる。受入口１６ａは、四角形の開口の２隅それぞれに三角形の板部材を配置させた六角形状の開口である。２つの三角形の板部材のうちの一つは押さえ板１６７の突片１６７２である。受入口１６ａに落下してくるパチンコ球Ｂ４は、六角形状の受入口１６ａを画定する斜辺に触れ、その落下速度が弱められる。受入口１６ａに入り込んだパチンコ球Ｂ４は、上述したように、球受けレバー１６８の球受け部１６８ａの上に落ち、球受けレバー１６８はパチンコ球Ｂ４の重みによって球受け部１６８ａが押し下げられ、図６に示すように開駆動部１６８ｂが持ち上がり、扉１６２が開く。
【０１７４】
次いで、裏樋９０について図１０を参照しながら詳述する。
【０１７５】
図１０に示す裏樋９０には、入賞口領域ｓに集合配置された始動入賞口１１につながる第１通路９０１や、チューリップ型役物１４の入賞口１４１につながる第２通路９０２や、普通入賞口１５につながる第３通路９０３が設けられている。入賞球はこれらの通路９０１〜９０３を通って遊技盤１０の裏面１０ｂ側へ案内される。これらの通路９０１〜９０３のうち始動入賞口１１につながる第１通路９０１を除く、第２通路９０２および第３通路９０３の下流端は、排出口９１につながっており、始動入賞口１１につながる第１通路９０１の下流端は、図６や図７に示すアタッカー型役物１６の受入口１６ａにつながっている。したがって、図３に示すチューリップ型役物１４の入賞口１４１や普通入賞口１５に入賞したパチンコ球は、第２通路９０２あるいは第３通路９０３によって排出口９１まで案内され、始動入賞口１１に入賞したパチンコ球は、第１通路９０１によってアタッカー型役物１６の受入口１６ａまで案内される。また、図１０に示す裏樋９０には、アタッカー型役物１６につながる球受けレバー側通路９０４と回動板側通路９０５も設けられている。球受けレバー側通路９０４は、図７（ａ）に示すアタッカー型役物１６の球受けレバー１６８下端側の開放された部分につながる通路であり、アタッカー型役物１６の受入口１６ａに入ってアタッカー型役物１６から排出されたパチンコ球を裏樋９０の排出口９１まで案内する。また、回動板側通路９０５は、図７（ｂ）に示すアタッカー型役物１６の回動板１６３下方の開放された部分につながる通路であり、アタッカー型役物１６の入賞口１６１に入賞してアタッカー型役物１６から排出されたパチンコ球を裏樋９０の排出口９１まで案内する。
【０１７６】
さらに、図１０に示すように、第１〜第３通路９０１〜９０３および回動板側通路９０５それぞれにはセンサ９２が取り付けられている。また、裏樋９０には、図４に示す第１誘導装置１２の設置スペースとなる開口９３の下に入賞口中継基板９４が設けられている。図１０に示す各センサ９２は、各通路９０１〜９０３，９０５を通過するパチンコ球を検出し、検出信号を入賞口中継基板９４に向けて発信する。なお、排出口９１にもパチンコ球を検出するセンサ９２’が取り付けられている。
【図面の簡単な説明】
【０１７７】
【図１】本発明の非電動役物を用いたパチンコ機の一実施形態に相当するパチンコ機の正面図である。
【図２】図１に示すパチンコ機の背面図である。
【図３】図１に示すパチンコ機の遊技盤おもて面を示す図である。
【図４】図３に示す第１誘導装置を示した図である。
【図５】図３に示すアタッカー型役物の分解斜視図である。
【図６】組み立てられたアタッカー型役物を図５とは反対側から見たときの斜視図である。
【図７】図５に示すアタッカー型役物の扉が開閉する様子を示した図である。
【図８】図５に示すアタッカー型役物の扉が閉じた状態から少し開いた状態を示す断面図である。
【図９】扉が図８に示す状態からさらに開いていく様子を段階的に示した断面図である。
【図１０】遊技盤を後方から見た図である。
【図１１】図１０に示す連動機構を斜め後ろ側からみた斜視図である。
【図１２】図１０に示す裏樋を斜め前から見た斜視図である。
【図１３】図１２に示す裏樋を中央の始動入賞口付近で上下方向に切断したときの断面図である。
【図１４】図１１に示す連動機構によって図３に示す左右のアタッカー型役物それぞれの扉が開かれる様子を示した図である。
【図１５】図１１に示す連動機構を用いた態様の変形例を図１３と同じようにして表した断面図である。
【図１６】図２に示す払出カセットの構造を示した斜視図である。
【図１７】図１に示すパチンコ機における賞球の払出制御に関連するハードウェア構成を示す機能ブロック図である。
【図１８】第２実施形態のパチンコ機において賞球の払出制御処理が実行されたときの主制御基板の動作を示すフローチャートである。
【図１９】図４に示す第１誘導装置の変形例が設けられた誘導領域を前方から見たときの図である。
【符号の説明】
【０１７８】
１    パチンコ機
１０    遊技盤
Ｐ    遊技領域
１１    始動入賞口
ｓ    入賞口領域
ｇ    誘導領域
１２    第１誘導装置
ｍ    前後移動領域
１３    第２誘導装置
１６    アタッカー型役物
１６１    入賞口
１６２    扉
１６３    回動板
１６３５    係合部
１６４    基体
１６５    軸棒
１６６    ストッパ
１６６２    当接部
１６７    押さえ板
１６８    球受けレバー
１６８ｂ    開駆動部
１４    チューリップ型役物
１４１    入賞口
９５    連動機構
９５１      作用部
９５１２    作用杆
９５２    回転軸
９５３    操作部
９５３２    指かかり部
【図１】
2008104527.tif 000003
【図２】
2008104527.tif 000004
【図３】
2008104527.tif 000005
【図４】
2008104527.tif 000006
【図５】
2008104527.tif 000007
【図６】
2008104527.tif 000008
【図７】
2008104527.tif 000009
【図８】
2008104527.tif 000010
【図９】
2008104527.tif 000011
【図１０】
2008104527.tif 000012
【図１１】
2008104527.tif 000013
【図１２】
2008104527.tif 000014
【図１３】
2008104527.tif 000015
【図１４】
2008104527.tif 000016
【図１５】
2008104527.tif 000017
【図１６】
2008104527.tif 000018
【図１７】
2008104527.tif 000019
【図１８】
2008104527.tif 000020
【図１９】
2008104527.tif 000021